(57)【要約】【課題】測定準備に要するタイムラグが小さいく排尿動作に関する使い勝手が良い尿量測定機能を備えた大便器ユニットを提供する。【解決手段】本発明の大便器ユニット（１）は、使用者の尿を受けるボール（１２）と、このボールに連通し且つボール内の溜水を下水管に排出し、この下水管を水封するトラップ部（１５）と、使用者が排尿を開始する前の、トラップ部の溢流水位よりも低く、封水水位よりも高い所定の水位と、使用者が排尿を終えた後のボール内の水位の変化を測定する水位測定手段（４４）と、この水位測定手段によって測定された水位変化測定値から、使用者がボールに排泄した尿量を算出する尿量算出手段と、使用者が排尿を終えた後ボール内の溜水を排出し、ボール内の溜水の水位を所定の水位まで低下させる溜水排出手段（３１）と、を有することを特徴としている。【選択図】図２
2006257870.tif 000002
【特許請求の範囲】
【請求項１】
使用者の尿を受けるボールと、
このボールに連通し且つ上記ボール内の溜水を下水管に排出し、この下水管を水封するトラップ部と、
使用者が排尿を開始する前の、上記トラップ部の溢流水位よりも低く、封水水位よりも高い所定の水位と、使用者が排尿を終えた後の上記ボール内の水位の変化を測定する水位測定手段と、
この水位測定手段によって測定された水位変化測定値から、使用者が上記ボールに排泄した尿量を算出する尿量算出手段と、
使用者が排尿を終えた後上記ボール内の溜水を排出し、上記ボール内の溜水の水位を上記所定の水位まで低下させる溜水排出手段と、
を有することを特徴とする大便器ユニット。
【請求項２】
上記溜水排出手段は、上記ボールの洗浄が終了した後、上記ボール内の溜水の水位を上記所定の水位まで低下させる請求項１記載の大便器ユニット。
【請求項３】
さらに、上記水位測定手段によって測定される水位の単位時間当りの変化に基づいて尿流率を算出する尿流率算出手段を有する請求項１又は２記載の大便器ユニット。
【請求項４】
さらに、上記水位測定手段によって測定される水位の単位時間当りの変化に基づいて排尿時間を算出する排尿時間算出手段を有する請求項１乃至３の何れか１項に記載の大便器ユニット。
【請求項５】
さらに、上記水位測定手段によって測定される経時的な水位変化波形に基づいて使用者による大便の排泄を検知する大便排泄検知手段を有する請求項１乃至４の何れか１項に記載の大便器ユニット。
【請求項６】
上記尿量算出手段は、上記大便排泄検知手段が大便の排泄を検知した場合、大便排泄による溜水水位の変化量を推定し、この推定した変化量に基づいて算出した尿量を補正する請求項５記載の大便器ユニット。
【請求項７】
さらに、使用者が排泄した尿の一部を採取する尿検体採取装置を有し、上記尿量算出手段は、上記ボール内に排泄された尿の量と上記尿検体採取装置に採取された尿の量を加算することによって、排泄された尿量を算出する請求項１乃至６の何れか１項に記載の大便器ユニット。
【請求項８】
上記水位測定手段が、上記ボール内の溜水の水圧を測定する圧力センサである請求項１乃至７の何れか１項に記載の大便器ユニット。
【発明の詳細な説明】
【技術分野】
【０００１】
本発明は、大便器ユニットに係わり、特に、排泄された尿の量、尿の量に関連する生体情報を測定することができる大便器ユニットに関する。
【背景技術】
【０００２】
医療分野、特に予防医療分野や治療管理分野では、尿から得られる生体情報が有用である。従来より用いられている採尿カップなどの容器を使用する方法は、尿を採取する患者側の快適性が配慮されておらず、トイレで尿を排泄するだけで、排泄された尿量および／または尿量関連生体情報を測定することが必要とされている。また、予防医療だけでなく、疾病管理に必要な指標を測定することに好適な大便器ユニットが必要とされている。
【０００３】
特開平７−３０１６２９号公報（特許文献１）には、便鉢上方に設けた椀状の受尿器で、排泄された尿の全量を採取することにより尿量を測定するようにした便器が記載されている。このような場合、尿量を測定する機能だけで、既存の大便器構成とは大きく構成が異なる高価な専用便器を尿量測定に必要とするという問題があった。
【０００４】
また、特開平９−１１９８５９号公報（特許文献２）には、便器と便座の間に重量センサを設け、排泄前後の体重差によって尿量を算出するようにした便器が記載されている。このような場合、便器に対して加工は不要であるものの、便器リム面の平面精度が測定精度に影響するため、工業生産される陶器製便器では所定の精度を確保することが不可能で、尿量測定を所定の精度で得ることができないという問題があった。
【０００５】
また、特開平１０−０３７２８４号公報（特許文献３）および特開２００２−３３９４３２号公報（特許文献４）には、トラップ部に連通した圧力センサまたは水位センサを設け、前記センサの変化量によって尿量を推定するようにした小便器が記載されている。このような場合、便器に大幅な加工をすることなく尿量測定機能を実現できる反面、尿がトラップ部を超えて溢れることに関連する挙動を予測する工程が入るために、単位時間当たりの尿の流量である尿流率（尿流速）の大小によって測定精度が変化したりする問題があった。また下水管系の状態によっては、他の水回り機器の排水状態によって前記便器のトラップ部に圧力変動が発生して、溜水水位が変動することがあり、そのことが測定誤差を引き起こすこともあった。
【０００６】
また、特開平１０−０８２７８３号公報（特許文献５）には、トラップ部に排泄された尿をタンクに吸引して尿量を測定する便器が記載されている。このような場合、尿量だけでなく、ポンプの吸引後の水位変化を測定することで尿量と合わせて尿流率（尿流速）を測定できるものの、前記便器溜水中の汚水を吸引することになるため、汚物吸引によって測定系に詰まり等のトラブルが発生したり、塩分を含む溜水の吸引によって測定系が腐食等のトラブルが発生するという、動作信頼性面の問題があった。
【０００７】
また、特開２００２−１８６６０１号公報（特許文献６）には、排泄された尿量を経時的な重量変化として測定し、尿量と尿流率（尿流速）を測定する測定方法が記載されている。このような場合、尿量およびその関連指標測定のための排泄は、トイレではなく診察室などで実施せざるを得ないため、泌尿器系疾患を持つ患者、特に女性に対して心理的な負担を与え、医療従事者も複数回数の測定をためらうような状態である。
【０００８】
また、特開平８−２９９３４８号公報（特許文献７）には、測定前に便器のトラップ部を変形させて尿を受け入れる容積を確保した上でボール自体に尿を貯める便器が記載されている。この便器では、トラップ部に溜まった溜水の重量変化又はトラップ部の中の溜水の水位の変化を測定して尿量を算出している。しかしながら、この便器では、尿量測定の前に溢流水位を下げるために、尿が溜まるトラップ部を上下動作させる必要があるので、その上下動させるための機構部から漏水が発生する恐れがあり、また、上下動するトラップ部の長期的な信頼性を確保することが難しいという問題がある。また、トラップ部内の溜水の水位を測定して尿量を算出しようとする場合には、トラップ部が一様断面でなければならないので、通常の便器とは異なる一様断面のトラップ部を新たに設計しなければならず、動作信頼性の高いトラップ部を構成するのが困難であるという問題がある。
【０００９】
また、特開平７−２５９１６６号公報（特許文献８）には、排泄された尿を容器で受け、その容量を測定する尿量測定機能を有する便器装置が記載されている。このような便器装置では、特に女性で見られるように排尿方向の個人差があるため、採尿する容器に尿をすべて採取することができないため、正確な尿量測定を実施できないという問題がある。
【発明の開示】
【発明が解決しようとする課題】
【００１０】
上述したように、これまでに提案されてきた尿量あるいは尿流率の測定システムでは、様々な問題点があった。さらに、上記した従来の尿量測定システムでは、測定対象が尿ということに起因する動作信頼性不足という問題があった。尿は電解物質である塩化ナトリウムなどを多量に含むため、特に金属部品を腐食させやすく、結果として各種構成部材の動作に弊害をあたえがちだった。また、特開平８−２９９３４８号公報記載の便器では、尿量測定のために要する時間が長いため、使用者が測定開始まで排尿を我慢する必要があり、使い勝手が悪いという問題があった。
【００１１】
本発明は、上記課題を解決するためになされたもので、本発明の目的は、トイレで用を足すだけで、高信頼性で、排泄された尿量および関連指標を簡便に知ることができる大便器ユニットを提供することにある。
【００１２】
また、本発明の目的は、測定準備に要するタイムラグが小さいことで排尿動作に関する使い勝手が良く、１回当りの測定単価が安価、かつ、高精度尿量推定を実現した尿量測定機能を備えた大便器ユニットを提供することにある。
【００１３】
さらに、本発明は、既に高い排水動作信頼性を得ている通常の大便器の構造に大きな変更を加えることなく、高精度の尿量測定機能を備えた大便器ユニットを提供することを目的としている。
【課題を解決するための手段】
【００１４】
上述した課題を解決するために、本発明の大便器ユニットは、使用者の尿を受けるボールと、このボールに連通し且つボール内の溜水を下水管に排出し、この下水管を水封するトラップ部と、使用者が排尿を開始する前の、トラップ部の溢流水位よりも低く、封水水位よりも高い所定の水位と、使用者が排尿を終えた後のボール内の水位の変化を測定する水位測定手段と、この水位測定手段によって測定された水位変化測定値から、使用者がボールに排泄した尿量を算出する尿量算出手段と、使用者が排尿を終えた後ボール内の溜水を排出し、ボール内の溜水の水位を所定の水位まで低下させる溜水排出手段と、を有することを特徴としている。
【００１５】
このように構成された本発明においては、使用者は、溜水水位が所定の水位に低下したボールに排尿を行う。このとき、ボール内の溜水水位は、予め溢流水位よりも低下されているので、使用者の排尿によって、溜水又は尿がトラップ部を通って流出することがない。水位測定手段は、排尿前の水位と、使用者が排尿した後の水位を測定する。尿量算出手段は、使用者の排尿前後のボール内の水位に基づいて、使用者の尿量を測定する。溜水排出手段は、使用者の排尿後、ボール内の溜水を排出し、ボール内の溜水の水位を所定の水位まで低下させる。
【００１６】
このように構成された本発明によれば、従来の水洗大便器の構造に大きな変更を加えることなく、尿量測定を行うことができる。また、このように構成された本発明によれば、次回の尿量測定のために、ボール内の水位が所定の水位にされるので、大便器ユニットの使用者が尿量測定開始前に排尿を我慢しなければならない時間を短縮することができる。
【００１７】
本発明において、好ましくは、溜水排出手段は、ボールの洗浄が終了した後、ボール内の溜水の水位を所定の水位まで低下させる。
このように構成された本発明によれば、ボールの洗浄が終了した後、溜水排出手段が溜水を排出するので、溜水排出手段によって排出される溜水には尿が混入しておらず、尿が接触することによる故障が発生しにくく、大便器ユニットの信頼性を高めることができる。
【００１８】
本発明において、好ましくは、さらに、水位測定手段によって測定される水位の単位時間当りの変化に基づいて尿流率を算出する尿流率算出手段を有する。
このように構成された本発明によれば、平常通りトイレで排尿するだけで前立腺肥大をはじめとする泌尿器系疾患の指標である尿流率を測定することができる。また、トイレというパーソナル空間で測定が実施可能であることから、羞恥心無く繰返し測定が実施できるため、継続的な治療効果の確認などで信頼性の高い管理を行うことができる。
【００１９】
本発明において、好ましくは、さらに、水位測定手段によって測定される水位の単位時間当りの変化に基づいて排尿時間を算出する排尿時間算出手段を有する。
このように構成された本発明によれば、平常通りトイレで排尿するだけで前立腺肥大をはじめとする泌尿器系疾患の指標である排尿時間を測定することができる。また、トイレというパーソナル空間で測定が実施可能であることから、羞恥心無く繰返し測定が実施できるため、継続的な治療効果の確認などで信頼性の高い管理を行うことができる。
【００２０】
本発明において、好ましくは、さらに、水位測定手段によって測定される経時的な水位変化波形に基づいて使用者による大便の排泄を検知する大便排泄検知手段を有する。
このように構成された本発明によれば、尿量測定に対する誤差となる大便の排泄を検知することができ、また、これを表示することによって、測定データに誤差が存在する可能性を使用者、および／または医療関係者に知らせ注意を喚起することができるため、医学的判断において誤りの発生防止を図ることができる。
【００２１】
本発明において、好ましくは、尿量算出手段は、大便排泄検知手段が大便の排泄を検知した場合、大便排泄による溜水水位の変化量を推定し、この推定した変化量に基づいて算出した尿量を補正する。
このように構成された本発明によれば、尿量測定中に大便を誤って排泄した場合でも、大便量を含んだ尿量を測定値として出力することがない。また、大便排泄によって測定機会を失うことが少なくなるため、データの欠落なく長期間の継続的測定が可能になる。
【００２２】
本発明において、好ましくは、さらに、使用者が排泄した尿の一部を採取する尿検体採取装置を有し、尿量算出手段は、ボール内に排泄された尿の量と尿検体採取装置に採取された尿の量を加算することによって、排泄された尿量を算出する。
このように構成された本発明によれば、一回の排尿について、排尿状態に関する測定と、尿に含まれる特定成分の定量および／または定性測定の両方を実施することができる。
【００２３】
本発明において、好ましくは、水位測定手段が、ボール内の溜水の水圧を測定する圧力センサである。
このように構成された本発明によれば、尿がボール内にある状態で尿量測定を行うことができるので、尿量測定を行う各構成部の動作に弊害を与えることがなく、動作の信頼性を高めることができる。
【発明の効果】
【００２４】
本発明によれば、トイレで排尿するだけで、排泄された尿量および関連指標を、簡便に高信頼性で知ることができる大便器ユニットを提供することが可能となる。
【００２５】
また、本発明の大便器ユニットによれば、測定準備に要するタイムラグが小さいことで排尿動作に関する使い勝手が良く、１回当りの測定単価が安価、かつ、高精度尿量推定を、高い信頼性で実現することができる。
【００２６】
さらに、本発明の大便器ユニットによれば、通常の大便器の構造に大きな変更を加えることなく、高精度の尿量測定を行うことができる。
【発明を実施するための最良の形態】
【００２７】
次に、添付図面を参照して、本発明の実施形態を説明する。
図１は、本発明の第１実施形態による大便器ユニットの斜視図である。
大便器ユニット１は、使用者の排泄物を受けて下水に排出する洋風大便器１１と、尿量推定手段を含む各種機能が組み込まれた機能ケース２とを有し、これらが一体に形成されている。さらに、大便器ユニット１は、その上面に使用者が着座する便座２３と、その便座２３を覆い、回動自在に配置された便ふた２４とを有する。大便器ユニット１は、付属装置として、使用者を特定するためのＩＤカード２１と、操作・表示部２２とを有する。大便器ユニット１の各種機能は、ＩＤカード２１に格納されている個人認証情報を読み取ることや、使用者の接近の検知、或いは準備スイッチの操作によって起動され、スタンバイ状態となり、操作・表示部２２の操作によって測定などの動作を行う。また、大便器ユニット１による測定結果は、操作・表示部２２に表示され、使用者に向けて開示される。さらに、機能ケース２は、使用者の尿量を計算する尿量算出手段（図示せず）、使用者の尿流率を計算する尿流率算出手段（図示せず）、使用者の排尿時間を算出する排尿時間算出手段（図示せず）を内蔵している。
【００２８】
使用者特定手段は、無線通信電波に駆動電力を重畳しているＩＤカード２１に限定されない。即ち、操作・表示部２２の特定のスイッチを操作したり、暗証番号を入力したり、指紋や体重など個人を特定する生体情報を使用したりすることによって使用者を特定してもよい。また、操作・表示部２２と機能ケース２の間の情報伝送は赤外線を媒体として行われる。他の実施例として、電波を使用した無線通信や、有線の信号伝送であっても良い。
【００２９】
図２は、本発明の第１実施形態による大便器ユニット１における溜水排出手段の一例を示す断面図である。
【００３０】
洋風大便器１１の内側にはボール１２が設けられ、溜水１３が汚物を受ける媒体として溜まっている。ボール１２は水封構造を有したトラップ部１５、およびトラップ部１５の先端に接続された排水接続管１６を介して図示しない下水管と連通している。ボール１２の底部には、ゼット吐水ノズル３１が配置されている。ボール１２の上端にはリム１４が形成され、リム１４近傍にはリム吐水ノズル３２が配置されている。そして、このゼット吐水ノズル３１およびリム吐水ノズル３２には、洋風大便器１１の上部後方に設けられた水路切替手段（水路切替バルブ）３から導水管を介して水が供給される。リム吐水ノズル３２は略円形状のボール１２の上端内周に対して接線方向に配置されており、そこからの吐水はボール１２の内周面を旋回しながら溜水１３に達するので溜水１３は渦を巻いて溜水１３中の汚物が渦に沿って中央に集まる機能を果たしたり、水位低下した溜水１３を溢流水位４１に戻したりする機能を果たしている。
【００３１】
ゼット吐水ノズル３１から吐出された水が２０L/min程度の流量でトラップ部１５に打ち込まれてトラップ部１５が満水となることによってサイホン現象が発生し、溜水１３は下水管に向けて一気に流出し、排出される。したがって、ゼット吐水ノズル３１は、溜水排出手段として機能する。ゼット吐水ノズル３１の流速・吐水時間が適切でない場合には、溜水１３が全て流出してしまい、封水切れを起こし、下水臭気の逆流が発生する可能性がある。本実施形態では、サイホン現象が発生した後も溜水１３の水位が封水切れ水位４３を下回らないようにゼット吐水ノズル３１の適切な流速・吐水時間を設定している。本実施形態においては、ゼット吐水ノズル３１からの吐水によって、トラップ部１５の頂上位置である溢流水位４１にあった溜水１３はサイホン現象によって所定水位４２まで低下する。溢流水位４１と所定水位４２間の溜水量は、測定を実施する排泄尿量の最大値以上となるように設定している。なお、洋風大便器１１が焼成品である場合は、形状寸法精度を高めることは、技術的な難易度が高く、洋風大便器１１の形状特性的に溜水切れ水位４３を下回らないような設定を行うことが難しい。その場合は、後述する図１３のシーケンスで示すように、溜水１３の水位を封水水位以上に上昇させる溜水復帰手段を設けても良い。また、洋風大便器１１を封水水位以下で使用する場合には、同じく後述する図１５で示す下水管起因の臭気の逆流を防止するための脱臭手段を施す必要がある。
【００３２】
一般に人間の排泄尿量は１回あたり最大で１０００ｍＬ程度であるため、前述した溢流水位４１と所定水位４２間の溜水量は１０００ｍＬ以上を設計値としておけば、便器に排泄される尿が下水に溢れることはなく、排泄された尿全体を測定対象とすることができる。このように、トラップ部に発生するサイホン現象を利用して溜水の量を制御すれば、溜水水位を下げるために、排泄物や洗剤が内在している可能性のある溜水をポンプを用いて吸引する必要が無く、接水機能部材の動作信頼性が低下する恐れがない。
【００３３】
図３は、本発明の第１実施形態による大便器ユニット１に使用することができる溜水排出手段の変形例を示す断面図である。この変形例では、ゼット吐水を行ってサイホン現象を発生させる代わりに、排水口３３から溜水１３を排出している。
【００３４】
洋風大便器１１の内側にはボール１２が設けられ、溜水１３が汚物を受ける媒体として溜まっている。ボール１２は水封構造を有したトラップ部１５、およびトラップ部１５の先端に接続された排水接続管１６を介して図示しない下水管と連通している。ボール１２の上端にはリム１４が形成されている。溜水１３が溜まっているトラップ部１５の所定水位４２の位置には、溜水１３を排水接続管１６に排出するための排水口３３が設けられている。排水口３３の開口位置は使用者の排泄物が直接接触する可能性のない、トラップ部１５に設けられ、下水からの臭気等の逆流を配慮し、封水切れ水位４３より上方となっている。排水口３３と排水接続管１６の間は排水路３４で結ばれており、その途中に排水弁３５が配置されている。
【００３５】
排水弁３５の水路が開放されると、溜水１３は所定水位４２となるまで溢流水位４１から水を排水する。排水路３４および排水弁３５には、排泄物や洗剤が内在している溜水１３が通過する可能性があるため、動作信頼性を配慮した材質選定や、電装部材が直接溜水と接しないように、シリコンチューブとピンチバルブ方式の組合せが適する。
【００３６】
次に、図４を参照して、本発明の第１実施形態による大便器ユニットにおける尿量推定を説明する。
【００３７】
前述した溜水排出手段によって所定水位４２とされた溜水１３に尿１７が排泄された場合、溜水１３は尿量の分だけ水位が上昇する。一般的な洋風大便器の場合、その変化量は尿量１００ｍＬに対して２ｍｍから５ｍｍ程度となる。水位が１ｍｍ変化すると溜水の水圧は９．８０６８Ｐａ変化する。このように、ボールに貯まる尿量と、溜水水位と、溜水水圧とは、相関関係を持っており、これを利用して尿量を推定することができる。ところで、洋風大便器１１のボール１２の形状は便器のデザインや製造時の製造条件によってバラつくため、尿量に対する溜水１３の水位の変化は常に一定にはならない。本実施形態においては、便器毎に溜水１３の溜水量変化と水位変化との関係が、尿量算出手段（図示せず）に設定入力されている。或いは、施工時に一定量のダミー尿に対する水位変化を測定して溜水量と水位の関係を示す検量線を設定するようにしてもよい。これにより、溜水１３の単位時間毎の水位変化を測定して溜水量変化を求め、単位時間当たりの尿流率（尿流速）が測定できる。
【００３８】
ボール１２の底部に設けられた水位測定手段である圧力センサ４４で溜水の圧力変化を測定する。尿量算出手段（図示せず）は、その圧力変化量を水位変化量に換算し、その結果を尿量として推定演算する。或いは、図４に二点差線で示すように、ボール１２の底部に接続された導圧路４５を介して圧力を導き、その圧力を圧力センサ４６で測定するように構成することもできる、なお、導圧路４５を利用した場合、水位測定手段である圧力センサ４６を溢流水位４１の上方に配置することができるので、圧力センサ４６が直接溜水１３と接することが無く、動作信頼性を向上させることができる。ここで、圧力センサ４４は、溜水１３の水圧を直接検出するが、圧力センサ４６の場合は導圧路４５内部の溜水１３から空気を介して水圧を検出することになる。従って、圧力センサ４４の方がＳＮ比等の測定精度面では優れ、圧力センサ４６は動作の信頼性の面で優れている。圧力センサの形式としては、差圧センサタイプとすると大気圧の変化による誤差の発生を防止することができる。圧力センサとして、血圧計や気圧計などに使用されているタイプのセンサを使用することができる。これらの圧力センサの測定原理としては、例えばシリコンウエハーに発生する圧力起因の歪み量をブリッジ回路で読み取るものや、静電容量変化を測定するものがある。圧力センサの導圧路の一部にシリコンオイルなどを充填すると、感圧素子であるシリコンウエハーと、汚物や洗剤を含んだ溜水と接している空気が直接接触しないため、センシング素子やその接続部材に対して腐食等が発生する恐れが少なく、より圧力センサの動作信頼性を向上させることができる。
【００３９】
図５は、本発明の第１実施形態による大便器ユニット１のシステムブロック図である。
機能部に入ってきた水（市水）は、給水部を介して水路切替手段３に導かれる。この水路切替手段３は、洋風大便器１１の溜水水位を下げる溜水排出手段としてのサイホン現象発生手段（ゼット吐水ノズル３１）と、溜水水位を元に戻すための水補給手段（リム吐水ノズル３２）が洋風大便器１１に接続されると共に、尿量推定のための溜水の水位測定手段、洋風大便器１１に配置された図示せぬ採尿手段、および洋風大便器１１と機能部の尿に含まれる特定成分のセンシング手段にも接続されて、各々を洗浄する水が供給される。各々の電装部品は機能部の制御手段によって駆動され、制御手段は通信手段を介して操作・表示部２２に動作内容を伝達すると共に、測定結果が開示されるようになっている。
【００４０】
なお測定値は使用者に開示されるだけでなく、医療機関との連携や、食事・運動サービスや、インセンティブ面を配慮した保険サービスなどとの連携を配慮して、通信を介して伝送されるものであっても良い。
【００４１】
次に、図６を参照して、本発明の第１実施形態による大便器ユニットの動作シーケンスを説明する。
使用者が測定開始スイッチを操作すると、溜水排出手段が溜水の排出を行う。本実施形態においては、溜水排出手段はゼット吐水でサイホン現象を発生させるものであり、変形例では排水路３４に設けられた排水弁３５を開放して、共に溜水を排水接続管１６を介して下水に排出し、溜水の水位を低下させるものである。ここでは、ゼット吐水でサイホン現象を発生させるものについて説明する。溜水排出手段で溜水を排出後、リム吐水ノズル３２から少量の給水を行い溜水１３の所定水位４２までの復水が終了すると測定準備が完了する。準備が整った状態で使用者は溜水１３に向けて排尿すると、溜水１３の水位が上昇する。水位変化は排泄尿量を推定する基礎データとなる。本実施形態では、測定準備の開始は、使用者が実施する測定開始スイッチを起点として実施される。変形例として、大便器ユニットに人体検知センサを取り付けておき、この人体検知センサが使用者を検知することによって自動的に測定準備が開始されるように構成してもよい。更には、医療機関で使用される場合には、個人認証のため使用者が保有しているＩＤカード等を検知して測定準備動作を行う構成としても良い。サイホン現象を発生させて水位を下げる準備を実施するのに、出願人が行った実験では１０秒程度必要であることを確認したが、人体検知を起因として準備を実施すれば、脱衣に要する時間を配慮すると、脱衣した時には概ね準備が完了していることになり、排尿を待たなければならないタイムラグ時間を抑制できる。この場合の動作シーケンスについては後述する。
【００４２】
水位変化が無くなることによって排尿完了を検知すると、測定手段の水位変化測定値から尿量が演算され、使用者に開示され、合わせて測定系の洗浄動作が実施される。或いは、他のセンシングに供するために使用者の尿を採取する採尿器の尿検知が無くなったこと、または、排尿終了スイッチの操作によって排尿完了を検知するように構成することもできる。水補給手段（リム吐水ノズル３２）によって、溜水１３は元の溢流水位４１に戻される。これは、溜水１３が溢流水位より相当量少ない場合には、通常の便器洗浄動作ではトラップ部１５にサイホン現象が発生しないことがあり、排泄物が流しきれないことがあるため、それを防止するものである。この復水動作後に、使用者が便器洗浄操作スイッチを操作すると、リム吐水によって溜水１３が旋回して排泄物を中央に集め、そのタイミングでゼット吐水されてトラップ部１５にサイホン現象が発生し、排泄物が下水に排出された後に再びリム吐水されて水位が溢流水位４１となる。
【００４３】
次に、図７を参照して、本発明の第１実施形態による大便器ユニット１の動作フローを説明する。
使用者が測定開始スイッチを操作すると、溜水排出手段が溜水の排出を行う。測定中は大便の排泄やトイレットペーパーの大便器１１への投入禁止を使用者に促すよう報知手段である操作・表示部２２に表示して報知する。所定位置までの排水が終了すると測定準備が完了し、使用者は溜水に向けて排尿し、溜水の水位が上昇する。水位変化が無くなる、採尿器の尿検知が無くなる、または、排尿終了スイッチの操作によって排尿完了を検知すると、測定手段の水位変化測定値から尿量が演算され、使用者に開示され、合わせて測定系の洗浄動作が実施される。尚、本動作フローでは後述するように、測定中に大便が排泄された可能性の有無を判断・報知することも行っている。
【００４４】
図８は、使用者の排尿中における溜水の水位変化の一例を示すグラフである。本実施形態においては、水位変化を圧力に換算して直接モニターしているため、図８のように不連続な圧力変化が挙動を示した時は、尿という連続体だけでなく大便の同時排泄がされたことを示し、排尿量測定値に誤差が生じていることを使用者や測定値の管理・活用者に開示することもできる。なお同一の排尿行為を行うことは不可能であることから、大便が混入された場合においても、後述する図１２の方法で尿量測定値を補正したものを開示しても良い。補正を実施した場合は、所定の尿量推定精度が確保されていない恐れがあるため、治療方針・管理方針などを誤る恐れがないよう、補正済であることを使用者や測定値の管理・活用者に開示する。水補給手段（リム吐水ノズル３２）によって、溜水１３は元の溢流水位４１に戻される。溜水水位が溢流水位４１に戻ると、大便の排泄やトイレットペーパーの投入禁止表示は消灯となる。操作・表示部２２への表示により、測定をするに対しての留意事項を使用者に報知することができ、測定系に排泄物が侵入して動作不良を起すことがない。そして、使用者が便器洗浄操作を実施すると、リム吐水によって溜水１３が旋回して排泄物を中央に集め、そのタイミングでゼット吐水されてサイホン現象が発生し、排泄物が下水に排出された後に再びリム吐水されて水位が溢流水位４１となる。測定系の洗浄も完了すると、使用者に対して次回の測定が可能となったことが表示される。
【００４５】
図８は、本発明の大便器ユニットの溜水の圧力変化挙動の模式図であり、基準となっている圧力から、圧力センサ４４によって圧力変化として測定された差分が排泄された尿量を示すものである。また圧力変化開始時から、圧力変化終了までの時間が排尿時間を示すことになる。単位時間当りの尿量、つまり尿量変化を時間微分したものが単位時間当たりの排尿量である尿流率になるが、その点は図１２で詳述する。一般に前立腺肥大などの泌尿器系疾患は、尿量・排尿時間・最大尿流率などで管理値となっている。本実施形態による大便器ユニット１では、平常通りトイレで排尿をするだけで前立腺肥大をはじめとする泌尿器系疾患の指標である尿流率を測定することができる。トイレというパーソナル空間で測定が実施可能であることから、羞恥心無く繰返し測定が実施でき、尿意を感じた時の状態を測定できるため、継続的な治療効果の確認などで信頼性の高い管理を行うことができる。
【００４６】
尿だけが排泄された場合に対して、大便が途中で排泄された場合は圧力変化挙動が不連続になっている。大便が排泄された場合、固形物の落下に伴う大振幅・低周波数の圧力値が測定されることになるが、その点に関しても図１２で詳述する。
【００４７】
図９は、本発明の第１実施形態の大便器ユニット１に使用される尿の特定成分濃度を測定する尿検体採取装置を示す。
【００４８】
尿検体採取装置である採尿器５２は便器ボール内を回動するよう、リムカバー５１を介して洋風大便器１１に係止される。使用者から排泄された尿は採尿部５２でその一部を直接採取されると共に、採取できなかった尿は溜水１３に落下する。落下した尿は前述の機構で尿量が測定される。採尿器５２で採取された尿は、採尿器５２の内部に配置されたセンシング手段や、採尿器５２から計測部に吸引された後にセンシング手段によって特定成分の濃度が測定されるようになっている。尿検体採取装置で尿を採取した場合には、尿検体採取装置で採取された尿の量と、溜水１３に落下した尿量を加算することによって、排泄された尿量を計算する。また、尿が膀胱に溜まるまでには時間がかかるため、尿量・尿流率などの情報を測定する時と、他の臨床検査を実施するための検体採取は同時に実施するべきであり、尿を他の臨床検査に使用したい場合は、検体として備蓄容器５４に尿を吸引して採取すればよい。本実施形態の大便器ユニット１によれば、一回の排尿に対する排尿状態、排尿量に関する測定と、尿に含まれる特定成分の定量および／または定性測定を同時に実施することができる。
【００４９】
尿量と特定成分濃度を乗じたものは排泄実量である。例えば尿塩分濃度に尿量を乗じたものは塩分排泄量であり高血圧症の指標になる。また、尿糖濃度に尿量を乗じたものは糖排泄量であり、糖尿病の指標になる。
【００５０】
次に、図１６を参照して、備蓄容器５４に尿を採取する機構について説明する。
図１６は、本発明の第１実施形態による大便器ユニット１に使用される尿採取システムの一例を示す模式図である。この尿採取システムは、採尿器５２で採取された尿を、負圧発生手段が採尿アーム５３経由で備蓄容器５４に対して吸引する。負圧発生手段としては、検体の顕微鏡検査を配慮し、細胞がダメージを受ける恐れが少ないシリンジポンプが好適である。
【００５１】
図１７は、本発明の第１実施形態による大便器ユニット１に使用される尿採取システムの第二の例を示す模式図である。この尿採取システムは、採尿器５２で採取された尿を、採尿アーム５３と開閉弁経由で備蓄容器５４に吸引する。備蓄容器５４の内部は負圧になっており、その入り口部にはダックビルなどと称される逆止弁５８が設けられる。吸引配管系にセットされた備蓄容器５４は管路の接合によって逆止弁５８が開放される。採尿器５２に設けられた尿検知手段の信号で、管路に設けられた開閉弁が開き、尿が備蓄容器５４に対して自動吸引されるようになっている。本構成は採血シリンジなどで実用化されている方式であり、負圧発生のための機構部分を必要としないというメリットがある。
【００５２】
次に、図１０を参照して、本発明の第１実施形態による大便器ユニット１における特定成分濃度の測定を説明する。
図１０に示すように、溜水測定部６は、その外郭を構成するケース６１が洋風大便器１１に係止されている。使用者が排泄した尿は、洋風大便器１１のボール１２に溜まった溜水１３に落下する。採水部６２に特定成分の濃度測定手段が配置されている場合、前記特定成分は水位を下げた状態の溜水量によって希釈される。採水部６２に配置される図示しない特定成分濃度測定手段によって濃度が測定された後、前記溜水量と尿量を勘案して濃度が測定されることになる。測定された濃度は前述と同じく、尿量を乗じることによって排泄実量となる。
【００５３】
次に、図１１を参照して、本発明の第１実施形態による大便器ユニット１における特定成分濃度の測定を説明する。図１１は、特定成分濃度の測定の数学的モデル図である。
洋風大便器１１中の溜水は、水位をさげることによって容積Ｑ０となっている。膀胱４に溜まった尿の容量をＲ、特定成分濃度をη１とする。また、溜水の特定成分濃度をη２とする。両者が混合されることによって、容積は（Ｒ＋Ｑ０）となり、特定成分濃度はη３となる。両者を等式で表すと、
Ｒ×η１＋Ｑ０×η２＝（Ｒ＋Ｑ０）×η３  ・・・・［数１］
という［数１］式で表されるため、尿の特定成分濃度η１は次の［数２］式によって推定されることになる。
η１＝｛（Ｒ＋Ｑ０）η３−Ｑ０×η２｝／Ｒ  ・・［数２］
【００５４】
図１２は、本発明の第１実施形態による大便器ユニット１で測定された尿量と尿流率の時間あたりの変化を示す模式図であり、図８において測定された圧力変化挙動を、水位変化挙動経由で尿量・尿流率測定値に換算したものである。上段のグラフは尿量の時間変化挙動を測定したもので、大便が途中で排泄された場合を示している。大便が途中で排泄された場合には、尿だけが排泄された場合のグラフに対して、グラフ上に大振幅・低周波数の波動が測定される。溜水容量３．５Ｌの便器で実験を行ったところ、大便落下に伴う周波数は５Ｈｚ程度であった。中段のグラフは、上述の特性を配慮し、上段のグラフに大便の溜水落下に起因する１から１０Ｈｚ程度の周波数に対して周波数バンドパスフィルターをかけたものである。即ち、中段のグラフは、上段のグラフから１Ｈｚよりも低い周波数成分と、１０Ｈｚよりも高い周波数成分を除去したものである。バンドパスフィルターの特性としては、便器毎の特性に合わせて調整すればよい。中段のグラフにおいて、時間当りの尿量変化カーブに変曲点が発生しており、カーブがジャンプしている量が大便量を表すことになる。尿だけが排泄された場合は変化量そのものが尿量になるが、大便が途中で排泄された場合は前述の大便量を差し引けば尿量ということになる。尿量算出手段（図示せず）に内蔵されている大便排泄検知手段（図示せず）は、水位変化波形に含まれる周波数成分および／または水位変化波形の振幅変化挙動に基づいて大便の排泄を検知する。尿量算出手段（図示せず）は、大便排泄による溜水水位の変化量を推定し、この推定した変化量に基づいて算出した尿量を補正する。このように、本実施形態の大便器ユニット１では、尿量測定中に大便を誤って排泄した場合でも、大便量を含んだ尿量を測定値として出力することがない。この場合、測定された尿量は、精度面では懸念される部分があるため、使用者、および、そのデータを活用する方に対しては、懸念事項のあるデータであることを合わせて開示する。このように、尿量測定時の大便排泄は尿量測定に対して誤差となることが考えられるが、誤差存在の可能性を使用者、および／または測定データの管理する医療関係者に開示して注意を仰ぐことができるため、医学的判断において誤りの発生防止を図ることができる。
【００５５】
下段のグラフは、尿流率算出手段（図示せず）によって算出された単位時間当りの尿量、つまり尿量変化を時間で微分したもので、尿流率の時間変動を表している。微係数が極端に大きい不連続部分は、大便の落下による部分であり、その部分を除外したカーブが尿流率を示すものである。また、排尿時間算出手段（図示せず）は、尿流率の時間変動に基づいて、排尿時間を算出する。最大尿流率や排尿時間などは、前立腺肥大などの泌尿器疾患の管理・治療に使用することができる。
【００５６】
次に、図１３を参照して、尿量測定が途中で中断された場合の作用を説明する。図１３は、本発明の第１実施形態による大便器ユニット１において、測定を途中で中止した場合の動作シーケンス図である。使用者が測定開始スイッチを操作すると、ゼット吐水でサイホン現象を発生し、溜水の水位を低下させる。所定位置までの給水が終了すると測定準備が完了し、使用者の排尿を待つ。排尿を待機する状態において、所定時間経っても水位が上昇しない場合には使用者が測定を中止したものと判断し、水補給手段は溜水を溢流位置まで増やし、その後に便器洗浄を実施している。仮に事前準備中にゼット吐水の水圧変動やトラップ側の圧力変動等の原因で封水切れが発生している場合は下水配管内の臭気がトイレ内に逆流する恐れがある。加えて、溜水水位が下がった状態で便器洗浄を実施した場合には、充分なサイホン現象が発生しないため、所定時間以内に溜水は復帰するように配慮されている。好ましくは、所定時間として、一般的なトイレにおける排泄時間を配慮し、１〜２分程度とする。本実施形態の大便器ユニット１では、測定を途中で中止したような場合において、溜水水位を封水水位以上に復帰させるので、以降の便器装置としての使い勝手に影響を与えたり、下水管からの臭気に対する脱臭手段作動を永続的に実施する必要がない。
【００５７】
次に、図１４を参照して、本発明の第１実施形態による大便器ユニット１の別の動作シーケンスを説明する。図１４は、大便器ユニット１の別の動作シーケンスを示す図であり、通常状態において溜水を所定位置まで下げた状態で待機させたものである。すなわち、測定後の準備動作において、通常の便器洗浄工程（リム吐水、ゼット吐水、リム吐水の順次洗浄）後にゼット吐水を短時間行い溜水の一部を排出して、溜水を低い水位に保持する。この場合、使用者は特別な操作無しで尿量をはじめとする特性値を、トイレ入室後すぐに測定することができる。この動作シーケンスでは、使用者がトイレに入室した時点で測定準備が完了しており、待ち時間を全く無くした尿量測定を行うことができる。また、開始時にスイッチ操作等を行わなくてもよい。なお、溜水水位が下がり、封水面が下がった状態で待機しているため、便器の乾燥面に汚物汚れが付着する可能性が高くなるため、使用者数が多く、かつ、便器の清掃等に関するメンテナンス従事者が充実している施設において推奨される準備方法である。
【００５８】
次に、図１５を参照して、本発明の第１実施形態による大便器ユニット１の脱臭手段を説明する。図１５は、本実施形態による大便器ユニット１の脱臭手段である脱臭装置５５、送風装置５６及び送水装置５７を示す断面図である。洋風大便器１１が接続される下水管からは封水が切れると下水管内部の臭気が逆流するので、封水は切れないよう配慮するべきであるが、便器のサイホン状態によっては封水切れが発生してしまうので完全を期すことができない。またボール１２に排泄された尿量当りの水位変化量を考えると、ボール１２の底部では尿量当りの水位変化量が大きいので、溜水１３の量は少ないほど高精度が期待できる。従って、本実施形態では、所定水位４２を尿量測定時に封水切れとなる低水位の溜水量とし、脱臭手段との組合せで測定実施中に臭気の問題が発生しないようになっている。吸引装置である脱臭装置５５は、ボール１２の臭気を吸引し、活性炭等の吸着材、あるいはオゾンによる酸化分解および酸化還元触媒等の脱臭装置で処理して排出するものである。排水接続管に接続された送風装置５６は、排水接続管１６経由で下水に向けて空気を流すことで、臭気の逆流を防止している。これらの脱臭手段は洋風大便器１１の性能に影響を与えることが無く、便器としての使い勝手が低下することがない。洋風大便器１１に設けた脱臭手段を駆動することにより、洋風大便器１１の溜水水位が下がった状態であっても、下水管から逆流する臭気によって使用者が不快感を感じることがない。送水装置５７は、排水接続管１６経由で下水に水を流すことで、トラップ部１５に負圧を発生させて臭気の逆流を防止している。使用者に対する準備動作と合わせて作動するだけでなく、複数の脱臭装置を組み合わせても、単独の脱臭装置を採用しても良い。
【００５９】
本発明の第１実施形態による大便器ユニット１は、医療機関における治療や、家庭における健康管理に有用性の高い尿量、および、その関連指標をトイレで排尿を行うだけで測定しようとするものである。本実施形態の大便器ユニット１によれば、トイレとしての使い勝手を低下させることなく、信頼性の高い測定を行うことができる。また、本実施形態の大便器ユニット１は、トイレというパーソナル空間での測定を可能とするものであるため、疾病を持った患者が測定することに対して羞恥心をはじめとする心理的弊害を与えることもなく、また、医療従事者も複数回数の測定を指示・確認することによって、治療効果の促進を図ることができる。
【００６０】
また、本発明の第１実施形態による大便器ユニット１によれば、排泄された尿を下水に流出させずにボール内に貯めて尿量を測定することができ、簡単な構成で高精度に排泄尿量を測定することができる。さらに、本実施形態の大便器ユニット１によれば、尿量を測定する作業自体はトイレで排尿することの一連の動作で実施でき、特別な対応を必要としない。また、本実施形態の大便器ユニット１によれば、サイホン現象を利用して溜水水位を低下させているので、ポンプなどで溜水水位を低下させる場合に比べ、排泄物自体を吸引する恐れが無く測定系の信頼性を高めることができる。
【００６１】
さらに、本発明の第１実施形態による大便器ユニット１によれば、測定準備に要する時間が、使用者がトイレ入室から排尿までに要する時間と同程度であるので、測定に対する使用者の心理的負担発生が発生しにくい。また、準備時間の長さは選定した方法によって変化するため、設置場所の使用者数・メンテナンス頻度に関する施設条件や、使用者の疾病等に関する身体条件に合わせた準備方法を選定することができる。
【００６２】
次に、本発明の第２実施形態による大便器ユニットを説明する。
図１８は、本発明の第２実施形態による尿量測定機能を備えた大便器ユニットを示す斜視図である。
【００６３】
大便器ユニット２０１は洋風大便器２１１と便座２２１と便ふた２２２を回動自在に係止した機能ケース２０２によって構成されている。機構占有スペースが不足する場合は、大便器ユニット２０１の背部や配管部材で連結された機構ユニットキャビネット２０５内に機器を収納する。洋風大便器２１１の内側には、使用者の排泄物を受ける溜水２１３を貯えるボール２１２が構成されている。ボール２１２の上方には、便座２２１と当接するリム面２１４が形成されている。
【００６４】
またボール２１２の内外を連通する切欠に上面をリム面２１４と同一高さにして設けられた採尿ユニット２５０は、ボール内で採取した尿を、排泄された尿中に含まれる特定成分の定性・定量測定に関するセンシング手段に送出するようになっている。センシング手段は便器ユニット２０１の内部にバイオセンサや電気化学センサや物理量計測センサをはじめとする各種生化学センサとして組み込まれても良いし、他の大型臨床検査装置で測定すべく検体を採取して容器に所定量だけ備蓄するような方法であっても良い。
【００６５】
採尿ユニット２５０は、便器や下水の詰まり等が発生した場合以外は水没しない位置に配置されているため、特別な防水・防滴対策を施す必要がない。また、採尿ユニット２５０の外郭は、洋風大便器２１１の外形に配置されることになる使用者の下肢裏側と干渉しない範囲内で構成されているため、採尿機能が組付けられた便器であっても用便行為自体を行う限りにおいて、一般便器との間で使い勝手面の支障が発生することがない。下肢と機能部材が干渉しない範囲は、洋風大便器２１１の外郭に対して概ね５０ｍｍ以内程度の突起寸法までである。
【００６６】
図１９は、本発明の第２実施形態による尿量測定機能付を備えた大便器ユニット２０１の断面図である。
【００６７】
洋風大便器２１１の内側にはボール２１２が形成され、底部に設けられたゼット吐水ノズル２３１はトラップ部２１５に吐水方向を向けている。ゼット吐水ノズル２３１からの吐水はトラップ部２１５に対して負圧を発生させ、生じたサイホン現象によって、溜水２１３を排水接続管２１６を介して下水管に送出するようになっている。ボール２１２の上部にはリム吐水ノズル２３２が設けられ、溜水を補給するようになっている。同じくボール２１２の上方には、便座２２１と当接するリム面２１４が形成されている。ゼット吐水ノズル２３１とリム吐水ノズル２３２への給水は、水路切替手段となる給水バルブ２０３から供給されるようになっている。水路切替手段２０３とゼット吐水ノズル２３１をつなぐ水路の途中には分岐口２３３が設けられ、ボール２１２に排出された尿２０４の水位ヘッドを測定すべく、圧力センサ２４３との間に導圧路２４２が構成されている。なお電解物質である塩化ナトリウムなどを多量に含む尿を取扱う場合、小さな隙間に尿を通すと、特に金属部品を腐食させやすく、動作信頼性が低下しがちである。しかし、この実施例では、ゼット吐水によって水位を変化させるようにしているため、腐食等による機構部分の動作信頼性低下が発生しにくくなっている。
【００６８】
測定前の溜水水位（Ｙ）は溢流水位（Ｈ）より、人の１回あたりの最大排泄尿量より多い水量分下方である。そこに尿が排泄されると、水位は溜水水位（Ｚ）に上昇する。水位差（Ｚ−Ｙ）が排泄された尿量部分であり、水位測定値を基に予め記憶されている水位と溜水量の関係を表す水位変化曲線より尿量が算出されることになる。ボール２１２の形状は固定であるから、水位の測定値が溜水量を介して尿量に換算演算できるのである。なお、便器は一般的に陶器製であるから精密な寸法精度を確保することは難しいため、施工時に一定水量を便器に投入した時の水位変化を学習させて、水位位置毎の検量線を設定する方式が精度確保のための手法として推奨される。
【００６９】
導圧路２４２の途中には、拡大管２４２ａを設けている。ボール２１２には大便も排泄されるため、導圧路２４２の中に大便の成分が侵入することが稀にあるが、拡大管２４２ａによって侵入速度が低下することを利用して拡大管２４２ａの下方に貯めることにより、圧力センサ２４３の内部に大便成分が侵入しないようになっている。定期的に拡大管２４２ａの清掃・洗浄または交換を行えば、測定系の長期信頼性確保に有益である。拡大管２４２ａ上部には空気抜き栓２４２ｂが設けられており、配管内に空気が残ることを防止している。導圧路２４２の水圧は開閉弁２４２ｃを介して圧力センサ２４３に導かれる。
【００７０】
下水管中に他の設備器具などに起因する排水流れによって負圧が発生したとしても、水合流部２１６ａには通気弁２１６ｃが設けられており、空気が吸気管２１６ｂから送り込まれ負圧量が緩和・抑制されるようになっている。通気弁２１６ｃは大気と下水管内の圧力差を利用した空気を供給するものであるが、他の送気ポンプなどの手段であっても効果は同じである。測定中は空気の流入によって負圧がトラップ側に加わらないため、本発明の溜水水位測定に誤差が発生しないようになっている。空気調和衛生工学会規格の給排水衛生設備規準によると、下水管の設計は下水管内で４０ｍｍ水頭が上限とされているが、空気の供給量としては毎秒２５Ｌ程度を供給すると負圧がトラップ側に加わらないようになる。
【００７１】
この本実施形態による大便器ユニット２０１における尿量測定は封水状態で実施されるため、下水管内の臭気がトイレ内に上昇することを防止するための臭気防止対策は不要である。測定準備のためにいちいち溜水の水位を下げる準備動作も不要であるから、水使用量削減による測定コストの低減が可能である。
【００７２】
次に、測定系の配管内を洗浄する機構について説明する。
市水に接続される止水栓３０１から供給される水は、給水バルブ２０３と洗浄系とに、分岐金具３０２によって分岐される。分岐された水は逆流を防止するための吐水口空間を確保して、開閉弁３０３よりタンク３０４に向けて給水されている。給水水位は特に図示しない水位検知手段によって、常に一定水位が貯えられるようになっている。万一、水位検知手段が故障した時には、オーバーフロー管３０８によってリム吐水ノズル２３２から溜水２１３に向けて流出し、便器外への拡大被害が防止されるようになっている。タンク３０４内の水は内部に異物除去のためのストレーナーを有する取水ユニット３０５を介して、ポンプ３０６で吸引された後、測定系の導圧路２４２に導かれるようになっている。合流部の手前には開閉弁３０７が配置されており、測定時には閉じられるとともに、洗浄時には測定系配管に通水すべく開放されるようになっている。
【００７３】
次に、尿成分測定装置について説明する。
採尿器２５１は採尿アーム２５２の回動動作によってボール２１２内部を移動して排尿経路に達し、直接、尿を採取する。位置Ａについて、便器前方側が男性の採尿位置であり、後方側が女性の採尿位置である。特に女性の排尿範囲は個人差があることから、前後方向に位置調節機能を設けても良い。位置Ｂについて、便器洗浄実施時には、採尿器２５１は便器に給水される水と干渉することを防止して、排水に対して弊害が発生しないよう便器洗浄水が流れるリム面２１４の凹部から逃げる。位置Ｃについて、採尿しない時には、採尿器２５１はリム面２１４近傍に収納されている。便器の排出動作の完了後に、溜水を補給する段階でこの位置に配置されると補給水の水流によって採尿器２５１が洗浄される収納位置ということになる。
【００７４】
図２０は本発明の第２実施形態による大便器ユニット２０１に使用されている通気弁２１６ｃの動作原理を示す断面図である。図上、向かって左側は下水管内に負圧が無い状態、また向かって右側は下水管内で負圧が発生した場合を示す。
【００７５】
排水接続管に接続された吸気管２１６ｂの他端には、通気弁２１６ｃが接続されている。弁体３６１は本体３６３のガイド３６４によって、上下に移動可能となっている。弁体３６１の中央部には穴が形成されており、弁体の上部には圧力室３６２が構成されている。下水管内に負圧がない場合、圧力室３６２内部の圧力は下水管内と同じ圧力であり、かつ、大気圧とも同じである。従って弁体３６１は自重によって本体３６３側に落下しており、弁体は本体３６３と圧力室３６３を押さえている形となり、下水管内で発生した臭気がトイレ内に上昇・拡散することがない。下水管内で負圧が発生した場合、圧力室３６２内部の圧力は下水管内と同じ圧力となるため、弁体３６１を押さえている圧力は大気圧より減少する。この圧力差によって弁体３６１は上方に引き上げられ、外側から通気弁２１６ｃの内部に向けて負圧が解消されるまで空気が流入することになる。負圧がトラップ部を介して溜水部に伝わらないため、溜水水位を測定するときに水位変化が発生せず、結果として高精度の尿量測定ができることになる。
【００７６】
図２１は、本発明の第２実施形態による尿量測定機能を備えた大便器ユニット２０１を示すブロック図である。
【００７７】
大便器ユニット２０１は、大きく便器部（洋風大便器２１１）と機能部（機能ケース２０２）に分割することができる。便器部は、排水接続管２１６（排水ソケット）、リム吐水ノズル２３２、ゼット吐水ノズル２３１、採尿器２５１等を備えている。機能部には、リモコン等の操作・表示部から制御信号を受けて操作指令を行なう制御手段、市水から大便器ユニット２０１の各機構に給水を行なう給水系、ボールに連通して溜水２１３の水圧を測定する圧力センサ２４３、ボール水位測定手段、採尿器に殺菌用の電解水を供給する電解水供給手段等を備えている。なお、圧力センサ２４３の検出圧力は制御手段に送信されて、尿量算出手段である演算部（図示せず）にて圧力値から溜水水位を定めて尿量を算出する。
【００７８】
便器部に溜水に対してサイホン現象を発生させるためのゼット吐水ノズル２３１が溜水中に設けられ、溜水を補給する目的でリム吐水ノズル２３２が設けられている。機能部に供給された市水は機構系に影響を与えないよう異物を除去するストレーナを内在する給水部を介して、給水バルブ２０３に供給される。給水バルブ２０３および切替弁は便器部の排泄物下水排出のためのゼット吐水ノズル２３１と尿検体採取のための採尿器２５１を洗浄するための電解水供給手段に水を順次供給する。図２０には封水状態で測定する構成を示したが破封状態で測定を行うためには開閉弁３０７と水合流部２１６ａの間に通水路を構成して切替えを行うことで、下水配管内臭気のトイレ内への逆流を防止する。電解水供給手段には、次亜塩素酸の生成効率を向上させるための塩素供給手段を接続しても良い。水中の塩素量と必要としている次亜塩素酸濃度が適合している場合は不要であるが、より高い殺菌性能・尿石防除性能を求めたい時などには、塩素供給手段が必要となる。採尿器２５１に配置されたイオンセンサの校正液に含まれる塩素イオンを流用するものであったり、塩化ナトリウムの備蓄部材であったり、尿の一部を貯えておいて溶存塩素イオンを利用するものなどが塩素供給手段として推奨される。本出願人の実験によれば、次亜塩素酸濃度１〜５ｐｐｍ程度で殺菌および尿石防除効果があることを確認した。制御手段は給水バルブ２０３、電解水供給手段、水位測定手段、採尿手段、および、採尿手段と連通するセンシング手段をコントロールすると共に、測定演算結果を通信手段経由で操作・表示部に伝送する。通信手段は有線伝送だけでなく、赤外線や電波などを利用した無線伝送であっても良い。なおセンシング手段は機能部中に存在しても良いが、他の大型臨床検査器などと連携するための検体容器を介したものであっても良い。
【００７９】
図２２は、本実施形態の大便器ユニット２０１の給水系を示すシステムブロック図である。
供給された市水を便器洗浄系と衛生洗浄系に分岐するとともに、使用者の尿を受ける溜水の水位を圧力センサ２４３によって測定するとともに、各配管の接続状態と、各動作手段の接続関係が示されている。本図において尿の侵入が考えられる部分を破線で示したが、破線部分は市水によって洗浄されるようになっている。尿は塩分を含むものであるため配管・機構部品を腐食しがちであるが、洗浄によって長期の動作信頼性が確保されている。市水だけでなく電解水を通水すると、より洗浄効果は高い。
【００８０】
図２３は、本発明の第２実施形態による尿量測定機能付き大便器の動作シーケンス図である。
最初、溜水水位は溢流水位（Ｈ）以下の水位（Ｙ）で保持されている。水位（Ｙ）は使用者の尿の排泄によって、水位（Ｈ）を越えない位置に設定される。一般に人間の最大排尿量は１０００ｍＬとされているから、水位（Ｈ）から１０００ｍＬを差し引いた位置を水位（Ｙ）と設定すればよい。なお、排尿量は５００ｍＬを超える頻度が少ないことから、実質的な尿量測定範囲から水位（Ｙ）を設定してもよい。装置の測定範囲仕様をどう設定するかで、水位（Ｙ）の位置は変更可能である。尿量測定に対して水位を変化させる準備時間が不要であるため、使用者は準備のための待ち時間なく排尿が可能である。準備時間が不要であるから、使用者にとって使い勝手がよい。
【００８１】
使用者が測定準備開始スイッチ操作を実施すると、水位測定手段である圧力センサが起動され、溜水水位の絶対値が測定されるるよう配管を連通させる。尿採取手段は尿採取位置（Ａ）に移動する。測定中表示に合わせて使用者が排尿すると、ボール中の尿による水位上昇が発生する。合わせて他のセンシング手段に尿を送出したり、検体容器に尿を備蓄するための尿採取手段がボール内を移動して尿を所定量分だけ採取・吸引し、センシングに必要な尿検体が採取される。尿検体の採取が完了すると、尿採取手段は採尿器を収納位置（Ｃ）に移動する。
【００８２】
便器ボール内の水位変化は圧力センサなどの水位測定手段で測定され、予め記憶している水位と溜水量の関係を表す水位変化曲線より溜水量変化に換算される。溜水量の排尿前後の差が排泄尿量として測定される。水位変化から換算した尿量の時間毎の変化量は、尿流率または尿流速と称される指標であり、前立腺肥大に代表される泌尿器系疾病の管理に使用することもできる。測定された尿量は、尿検体のセンシング手段によって測定された特定成分濃度を乗じることによって、使用者が排泄した特定成分の実排泄量としてもよい。
【００８３】
例えば特定成分をナトリウムイオン濃度とすると、ナトリウムイオン濃度測定値を塩化ナトリウム量に換算し、尿量を乗じることによって、塩分排泄量を演算することができるが、ヒトは摂取塩分量の約８０〜９０％を排泄するという特質から摂取塩分量を推定することが可能である。この摂取塩分量は健康日本２１運動で提唱されている一般の方は１０ｇ以下、高血圧症患者は７ｇ以下に管理するべきとされる摂取塩分量のコントロールに使用することができる。
【００８４】
なお尿検体に対するセンシングを実施すべく排尿している時に、誤って大便を排泄してしまった時は水位測定値の振幅・周波数が尿だけの時と比べてことなるため、検体採取を中止したり、大便量の推定を行って尿量を補正することにより、尿量測定動作の信頼性低下を防止することができる。
【００８５】
溜水の水位変化を圧力センサで測定し、制御手段内の演算部にて、圧力値の変化を基に尿量を算出する。このように、尿量による水位変化を圧力ヘッドとして高精度に測定することにより、高精度の尿量推定を行うことができる。
【００８６】
なお、排尿終了を使用者が操作入力するようにしているが、水位変化が所定時間内に安定したことを検知して自動終了するものであってもよい。排尿終了操作の後、測定系には市水がポンプによって供給されて尿と接した部分は洗浄される。本実施形態においては、給水源を市水から吐水間隙を設けて縁切りしたタンク３０４としているため、万一の市水への汚水逆流防止の確実化が図られている。
【００８７】
次いで、使用者が表示された測定値を確認したり、本発明には含まれない他のサービスなどとの連携に向けて測定データを通信したり、あるいは測定結果を測定時間などと共に他の医療・健康関係従事者の指導を仰ぐべくプリントアウトされる。使用者が便器洗浄操作を実施すると、表示は再び準備中に変わる。リム吐水が行われると、採尿器はリム吐水と干渉しない位置（Ｂ）に移動して、便器洗浄性能に影響が出ないようにする。リム吐水によって溜水水位が溢流水位に上昇しきった状態で、ゼット吐水によるサイホン現象が発生して溜水と共に尿が下水に排出される。その後、リム吐水によって溜水水位が上昇することになるが、制御手段は、水位（Ｙ）に水面を設定すべく給水時間と水位変化量を水位測定手段によって測定しながら、給水バルブ２０３に制御信号を送ってリム側の吐水を停止させる。このように水位を制御することによって、溜水水位位置を毎回一定位置とすることができるため、尿量による水位変化を毎回同じ条件で測定することができ、結果として高精度の尿量推定を行うことができる。また、給水圧力によって水位上昇カーブは変化することが予測されるため、給水時間と水位（Ｙ）の関係を学習しながら、常に所定の水位（Ｙ）が得られるよう制御してもよい。リム吐水されている段階で、採尿器はリム部の収納位置（Ｃ）に格納され、その位置で採尿器の外殻はリム吐水によって洗浄される。単位時間当りの流量が多いため、採尿器の洗浄力が高い。
【００８８】
便器洗浄に合わせて、尿採取手段の採尿器とセンシング手段をつなぐ吸引配管に次亜塩素イオンを含む電解水を供給すべく、電解水供給手段が駆動される。前述の尿量測定系配管内にも電解水を供給すると、配管系にカビや細菌などの増殖を抑える効果も期待できる。洗浄工程が完了すると、準備中表示は測定可表示に切り替わることになる。
【００８９】
本発明の第２実施形態による大便器ユニットによれば、電解物質である塩化ナトリウムなどを多量に含む尿を機能部材内部に吸引しないので、各種構成部材の動作に弊害を与えることがない。また、本実施形態による大便器ユニットでは、測定準備のために溜水を排出することがないので、１回当りの測定単価が安価になる。さらに、本実施形態による大便器ユニットによれば、ボール内の溜水水位を下げた状態で待機しているので、測定準備に要するタイムラグが小さく、排尿動作に関する使い勝手を良くすることができる。
【００９０】
次に、本発明の第３実施形態による大便器ユニットを説明する。
図２４は本発明の第３実施形態による大便器ユニット全体を示す斜視図であり、図２５は側面断面図である。
【００９１】
本実施形態による大便器ユニット４０１は、洋風大便器４０２と、大便器ユニット４０１を作動させる種々の機能部を収納したキャビネット４０４と、を有する。
洋風大便器４０２は、使用者の尿、便等を受けるボール４０６と、このボール４０６のリム部分から洗浄水を吐水させるリム吐水ノズル４０７と、ボール４０６の底部と連通し、ボール４０６を水封するトラップ部４０８と、を有する。また、洋風大便器４０２は、ボール４０６の底部に配置され、トラップ部４０８に向けて洗浄水を噴出するゼット吐水ノズル４０９と、ボール４０６の上部に配置された便座４１０と、便ふた４１２と、ボール４０６のリム部分に設けられた採尿装置４１４を有する。また、ボール４０６の上方には、便座４１０と当接するリム面４０６ａが形成されている。
【００９２】
また、キャビネット４０４には、市水から供給された洗浄水をリム吐水ノズル４０７及びゼット吐水ノズル４０９から吐出させる給水バルブである水路切替手段４１６と、ボール４０６底部の静水圧を測定する水位測定手段である圧力センサ４１８と、水路切替手段４１６を制御し、使用者の尿量を計算する制御手段４２０が収納されている。また、制御手段４２０を操作する信号を送る操作・表示部４２２が壁面に取り付けられている。
【００９３】
洋風大便器４０２は、陶器製であり、その上部には、樹脂製の便座４１０及び便ふた４１２が回動自在に取り付けられている。トラップ部４０８の出口側端部は、排水ソケット４２４を介して下水管４２６に接続されている。ボール４０６には、最大で、トラップ部４０８の頂部４０８ａの高さの溢流水位まで溜水を保持することができる。また、ボール４０６内の水位がトラップ部入口４０８ｂの高さよりも低くなると、トラップ部４０８がボール４０６内の溜水によって封鎖されなくなるので、封水切れが起きる。
【００９４】
リム吐水ノズル４０７は、ボール４０６の上部から、リムの接線方向に洗浄水を吐出させ、ボール４０６の壁面を洗浄するように構成されている。ゼット吐水ノズル４０９は、ボール４０６の底部からトラップ部４０８に向けて洗浄水を噴出させ、トラップ部４０８内にサイホン現象を誘発するように構成されている。
【００９５】
採尿装置４１４は、使用者の尿を採取する採尿器４１４ａ、ボール４０６内部を回動させる採尿アーム４１４ｂ、および、駆動動作を行う採尿ユニット４１４ｃで構成されている。採尿装置４１４は、排泄された尿をキャビネット４０４に収納された尿成分測定部４１４ｄに送出し、この尿成分測定部４１４ｄで尿中に含まれる特定成分の定性・定量測定を行うように構成されている。また、採尿装置４１４には、廃液をボール４０６内に戻すための配管部材（図示せず）、機構部を動作させるための制御配線（図示せず）が内蔵されている。本実施形態では、尿成分測定部４１４ｄはキャビネット４０４外に設置されているが、尿成分測定の測定項目の一部は採尿器４１４ａ中で実施しても良く、尿温度のような項目は採尿器４１４ａ中で測定するのが良い。また、尿成分測定部４１４ｄは、キャビネット４０４の内部、又はキャビネット４０４の外の大便器ユニット４０１が設置されているトイレ室内、或いはトイレ室とは別の室内に配置することができる。尿成分測定部４１４ｄには、バイオセンサや電気化学センサや物理量計測センサをはじめとする各種センサが組み込まれても良いし、他の大型臨床検査装置で測定すべく検体を採取して容器に所定量だけ備蓄するように構成されていても良い。好ましくは、採尿装置４１４の外郭は、排泄物や水との接触を配慮して、抗菌性のある材質で形成し、表面に撥水性のある処理を施しておく。これにより、採尿装置４１４の清掃性がより向上する。
【００９６】
採尿装置４１４の外郭は、洋風大便器４０２の一部に切り欠きを設けて配置されている。採尿装置４１４の上面には便座４１２が当接し、採尿装置４１４の内側はボール４０６と接するように構成されている。また、採尿装置４１４の便座当接面は、中央に向けて３°程度傾斜しており、当接面を撥水処理することにより飛沫がボール４０６に戻りやすくなり、トイレ床を汚しにくくなる。洋風大便器４０２と採尿装置４１４の間には、シール剤であるゴムパッキン（図示せず）が配置され、排泄物飛沫の侵入を防止している。外郭サイズは洋風大便器４０２の外形シルエットと略同様の形状であり、使用者の下肢裏側と干渉しない。このため、採尿機能が組付けられた便器であっても用便行為自体を行う限りにおいて、一般便器と同様に使用することができる。また配管・配線部材は洋風大便器４０２の中空部に配置されているため、すっきりした外観が得られている。また、尿成分測定部４１４ｄをキャビネット４０４内に配置することにより、尿成分測定部４１４ｄがトイレの床面を占有していないため、清掃の度ごとに尿成分測定部４１４ｄを移動させる必要もない。このため、尿成分測定部４１４ｄによってトイレのスペースを狭めることがなく、トイレを衛生に保つためにも有効である。
【００９７】
水路切替手段４１６は、制御手段４２０の制御信号に従って、市水から供給された洗浄水を、リム吐水ノズル４０７及びゼット吐水ノズル４０９から交互に吐水させるように構成されている。
【００９８】
圧力センサ４１８は、ゼット吐水ノズル４０９と連通した圧力導管４１８ａによって導かれた、ボール４０６底部の静水圧を測定するように構成されている。
【００９９】
制御手段４２０は、使用者の操作及び内蔵しているプログラムに従って、水路切替手段４１６を制御するように構成されている。また、制御手段４２０は、尿量算出手段４２８を内蔵しており、この尿量算出手段４２８は、圧力センサ４１８によって測定された圧力に基づいて、ボール４０６内の水位を求め、使用者が排泄した尿量を計算するように構成されている。さらに、制御手段４２０は、尿量算出手段４２８によって計算された尿量を補正する補正手段４３０を有する。
【０１００】
また、壁に設けられた操作・表示部４２２は、操作性を良好にするため、洋風大便器４０２の先端位置に合わせて取付けられている。操作・表示部４２２は、使用者の局部を衛生的に洗浄にする機能を操作するための衛生洗浄装置リモコン４３２、使用者の尿成分測定に関する機能を操作するための尿成分測定部リモコン４３４、及び尿成分測定結果を出力し、使用者がデータを確認したり、医療スタッフが医療行為に使用するためのプリンター４３６を有する。
【０１０１】
図２６は、本発明の第３実施形態による大便器ユニット４０１の圧力センサ部分の詳細を示す断面図である。図２６に示すように、ゼット吐水ノズル４０９と連通した圧力導管４１８ａは、水路拡大部４１８ｂ及び第１開閉弁４１８ｃを介して圧力センサ４１８に接続されている。水路拡大部４１８ｂは、圧力導管４１８ａの途中に設けられ、圧力導管４１８ａよりも十分に大きな流路断面積を有するように構成されている。このため、万一、溜水中の汚物がゼット吐水ノズル４０９と連通した圧力導管４１８ａを通って圧力センサ４１８の方へ流れた場合にも、水路拡大部４１８ｂで流速が低下するので、汚物は水路拡大部４１８ｂで沈殿され、圧力センサ４１８に到達することはない。この水路拡大部４１８ｂは定期的な清掃作業が可能なように構成するのが良い。また、水路拡大部４１８ｂと圧力センサ４１８の間に接続された第１開閉弁４１８ｃは、制御手段４２０によって、圧力センサ４１８による水位測定を行う際には開放され、水位測定を行わない時には閉鎖されるように構成されている。
【０１０２】
さらに、図２６に示すように、下水管内で発生した負圧を逃がすための通気弁４３８と、下水管内の圧力変動をモニターするための下水管圧力センサ４４０が、排水ソケット４２４に連通するように設けられている。本実施形態においては、通気弁４３８として森永エンジニアリング株式会社製「ドルゴ」（商標）又は株式会社キッツ製「通気番」（商標）を使用している。この通気弁４３８として、一般的に下水管経路の圧抜きに使用されている任意の通気弁を使用することができる。下水管圧力センサ４４０は、下水管内に連通するように排水ソケットに接続され、下水管内の圧力を測定するように構成されている。ボール４０６内の溜水の水位は、下水管内の圧力が正圧になったときは上昇し、負圧になったときは下降する。本実施形態の大便器ユニット４０１では、ボール４０６内の溜水の水位に基づいて尿量を測定しているので、下水管内の圧力によって溜水の水位が変化すると尿量の測定値に誤差を生じることになる。そこで、本実施形態の大便器ユニット４０１では、下水管圧力センサ４４０によって下水管内の圧力を測定し、この圧力に基づいて溜水量の測定値を補正している。なお、下水管内の圧力が低下すると、通気弁４３８を介して大気が下水管内に導入されるので、下水管内に大きな負圧が発生することはない。
【０１０３】
次に、図２７乃至図３０を参照して、本発明の第３実施形態による大便器ユニット４０１の作用を説明する。図２７は大便器ユニット４０１の作用を時系列で表すグラフであり、図２８は大便器ユニット４０１の各部分の関係を表すブロック図である。
【０１０４】
図２７に示すように、待機時においては、大便器ユニット４０１のボール４０６内の溜水の水位は、図２６にＨで示す溢流水位になっており、また、操作・表示部４２２には「測定可」と表示されている。次に、大便器ユニット４０１の使用者が、操作・表示部４２２の準備スイッチ（図示せず）を操作し、又はＩＤカードやタグなどの個人認証手段（図示せず）を操作すると、制御手段４２０は、水路切替手段４１６に制御信号を送り、ゼット吐水ノズル４０９から吐水させる。また、操作・表示部４２２の表示は「準備中」になる。ゼット吐水ノズル４０９から吐水されると、トラップ部４０８においてサイホン現象が発生してボール４０６内の溜水が吸引され、ボール４０６内の水位が、図２６にＸで示す水位まで低下する。次いで、制御手段４２０は、水路切替手段４１６に制御信号を送り、リム吐水ノズル４０７から吐水させる。これと同時に、制御手段４２０は、圧力センサ４１８及び下水管圧力センサ４４０を作動させ、第１開閉弁４１８ｃを開放する。
【０１０５】
リム吐水ノズル４０７から吐水された洗浄水は、ボール４０６内に流入し、ボール４０６内の水位が上昇する。制御手段４２０は、リム吐水ノズル４０７から所定時間吐水させた後、水路切替手段４１６に制御信号を送り、リム吐水ノズル４０７からの吐水を止める。
【０１０６】
図２９は、ボール４０６内の溜水量Ｑと水位ｈの関係の一例を示す水位変化曲線である検量線のグラフであり、本実施形態に使用された洋風大便器４０２である東陶機器株式会社製品番Ｃ９５０Ｂの或るサンプルにおいて、溜水量Ｑと水位ｈは、
2006257870.tif 000003
の関係を有する。洋風大便器４０２は陶器製であり個体差が大きいため、制御手段４２０に内蔵された補正手段４３０は、図２９に示すような、ボール４０６内の溜水量と水位の関係である検量線を予め記憶している。この検量線は製造時または施工時に、ボール４０６内に所定量ずつ水を投入し、そのときの水位を測定することによって求められる。この洋風大便器４０２において、水位ｈが最下点水位Ｘにあるときの溜水量は１２０ｍＬ、溢流水位Ｈにあるときの溜水量は２５００ｍＬ、下水管がトラップ部４０８によって水封されるときの溜水量は７００ｍＬとなる。
【０１０７】
本実施形態においては、リム吐水ノズル４０７からの所定時間の吐水終了後の溜水量が１３００ｍＬ、溜水の水位がＹ（図２６参照）となるように設計されている。この尿量測定のスタート水位となる水位Ｙは、空気調和・衛生工学会規格「集合住宅の排水立て管システムの排水能力試験法」（ＨＡＳＳ２１８−１９９９）で定められた負圧４０ｍｍＡｑａが加わっても溜水が溢れることのない溜水量を考慮して設定されている。即ち、この溜水のスタート水位Ｙによれば、使用者が最大で約８００ｍＬの排尿をした後、排水配管に負圧４０ｍｍＡｑａが加わったとしても、ボール４０６内の溜水がトラップ部４０８を越えて排水されることがない。
【０１０８】
補正手段４３０は、圧力センサ４１８による圧力測定値と、記憶している溜水量と水位の関係に基づいて、スタート水位Ｙを較正している。リム吐水ノズル４０７から吐水される洗浄水は、定流量弁（図示せず）によって、その流量が一定に保たれている。本実施形態においては、１秒間に３００ｍＬの洗浄水がリム吐水ノズル４０７から吐水されるようになっている。従って、本実施形態において、水路切替手段４１６及び定流量弁（図示せず）は、定量水投入／排出手段を構成する。
【０１０９】
一方、圧力センサ４１８によって測定される圧力測定値は、ボール４０６内の水位に比例する。従って、リム吐水ノズル４０７からの吐水の停止１秒前に圧力センサ４１８によって測定された圧力をＰ１、吐水停止時の圧力をＰ２とすると、これらの間の圧力差Ｐ２−Ｐ１は、吐水停止１秒前の水位と吐水停止時の水位の差Δｈに対応する。このことから、１秒間に３００ｍＬ溜水が増加したときの水位の変化量Δｈがわかる。図３０に模式的に示すように、溜水が一定量ΔＱ増加したときの水位の変化量Δｈは、ボール４０６内の水位の絶対値によって変化するので、増加した溜水量ΔＱ、水位の変化量Δｈ、及び図２９に示すボール４０６内の溜水量と水位の関係から絶対的な水位を計算することができる。
【０１１０】
例えば、リム吐水ノズル４０７からの吐水の停止１秒前の第１水位と、吐水停止時の第２水位の差が２０．１ｍｍである場合、補正手段４３０は、３００ｍＬの給水で水位が２０．１ｍｍ上昇するという関係から、［数３］式に基づいて、溜水の水位を６７．９ｍｍ、溜水量を８５０ｍＬと算出する。また、補正手段４３０は、水位の差が１９．０ｍｍである場合、［数３］式に基づいて、溜水の水位を７３．９ｍｍ、溜水量を９５０ｍＬと算出する。このように計算される溜水の水位は、圧力センサ４１８によって測定される圧力にオフセット誤差を生じていたとしても、圧力差は正確に測定されるため、圧力センサ４１８のオフセット誤差の影響を受けることがない。また、本実施形態では所定量の水の投入を、水路切替手段４１６によって行っているが、変形例として、専用の調整用ポンプ（図示せず）を使用して水を投入するように構成することもできる。
【０１１１】
次いで、大便器ユニット４０１の使用者が、操作・表示部４２２の測定開始スイッチ（図示せず）を操作し、又はＩＤカードやタグなどの個人認証手段（図示せず）による認証操作を行うことによって、操作・表示部４２２の表示が「測定中」に変化する。表示が「測定中」に変化した後、使用者はボール４０６に排尿する。使用者が排尿すると、図２７に示すように、ボール４０６内の水位は上昇し、水位Ｚとなる。
【０１１２】
排尿が終わった後、使用者が、操作・表示部４２２の排尿終了スイッチ（図示せず）を操作し、または溜水水位変化がなくなることにより排尿終了が検知されると、制御手段４２０は、圧力センサ４１８及び下水管圧力センサ４４０をＯＦＦにし、第１開閉弁４１８ｃを閉鎖する。これと同時に、制御手段４２０に内蔵されている尿量算出手段４２８は、圧力センサ４１８によって測定されたスタート水位Ｙにおける圧力と、排尿後の水位Ｚにおける圧力の圧力差に基づいて、スタート水位Ｙと水位Ｚの水位差を計算する。次に、尿量算出手段４２８は、計算された水位差と、補正手段４３０によって予め求められたスタート水位Ｙに基づいて、水位Ｚを計算する。さらに、尿量算出手段４２８は、計算された水位Ｚと、予め記憶されている図２９の関係から、水位Ｚにおける溜水量を計算し、この溜水量からスタート水位Ｙにおける溜水量を差し引くことによって、尿量を計算する。計算された尿量は、操作・表示部４２２に表示され、プリンター４３６からプリントアウトされ、又は電子記憶媒体や施設内ＬＡＮなどに電子情報として出力される。
【０１１３】
また、上述した尿量測定においては、下水管内の圧力が大気圧である場合について説明したが、下水管圧力センサ４４０によって正圧又は負圧が検出されている場合には、尿量算出手段４２８は、圧力センサ４１８によって測定された水位を、下水管圧力センサ４４０による圧力測定値に基づいて補正する。
【０１１４】
尿量測定終了後、使用者が、操作・表示部４２２の便器洗浄スイッチ（図示せず）を操作すると、操作・表示部４２２の表示が「準備中」に変化する。これと同時に、制御手段４２０は、リム吐水ノズル４０７から所定時間吐水させ、図２７に示すように、ボール４０６内の水位が溢流水位Ｈまで上昇すると共に、旋回流で汚物が中央に集められる。次いで、制御手段４２０は、リム吐水ノズル４０７からの吐水を停止し、ゼット吐水ノズル４０９から吐水させる。ゼット吐水ノズル４０９からの吐水により、トラップ部４０８にサイホン現象が発生し、ボール４０６内の洗浄水及び尿がトラップ部４０８に吸い込まれ、ボール４０６内の水位が低下する。サイホン現象終了後、制御手段４２０は、再びリム吐水ノズル４０７から所定時間吐水させ、ボール４０６内の水位を溢流水位Ｈまで上昇させて、待機状態に戻る。その後、操作・表示部４２２の表示が「測定可」に変化する。
【０１１５】
本発明の第３実施形態による大便器ユニットによれば、予め測定され、記憶された検量線に基づいて圧力センサによる水位測定値を補正するので、圧力センサにオフセット誤差等の誤差がある場合にも精度良く尿量測定を行うことができる。
【０１１６】
また、上述した実施形態では、補正手段が検量線に基づいて正確なスタート水位を求め、このスタート水位を基に尿量算出手段が尿量を計算しているが、変形例として、設計上のスタート水位と実際のスタート水位の間の誤差を、検量線に基づいて補正手段によって求め、この誤差に基づいて尿量算出手段によって計算された尿量に所定の係数を加減乗除することによって測定された尿量を補正するように構成することもできる。
【０１１７】
さらに、上述した実施形態では、定量水投入／排出手段を、定流量弁を通過した水を所定時間吐出させることによって実現しているが、変形例として、一定量の水を貯めることができる定量タンクを設けておき、この定量タンク内の水をボール内に投入することによって定量水投入／排出手段を実現することができる。
【０１１８】
或いは、ボール内の水を、空の定量タンクが満たされるまで定量タンクに流出させることによって定量水投入／排出手段を実現することもできる。例えば、ボール内を第１水位である溢流水位にした後、定量水投入／排出手段によって所定量の溜水を排出し、溢流水位と排出後の第２水位との差、及び水位変化曲線に基づいてスタート水位を求めても良い。
【０１１９】
次に、本発明の第４実施形態による大便器ユニットを説明する。本発明の第４実施形態による大便器ユニットは、尿量測定を開始するボール内のスタート水位の設定機構が、第３実施形態の大便器ユニットとは異なる。従って、ここでは、本発明の第４実施形態による大便器ユニットの第３実施形態とは異なる点のみを説明し、同様の構成要素については同一の符号を付して説明を省略する。
【０１２０】
図３１は本発明の第４実施形態による大便器ユニットの断面図であり、図３２はそのスタート水位の設定機構部分の拡大断面図である。また、図３３は、本実施形態の大便器ユニットの各部の関係を示すブロック図である。
【０１２１】
図３１乃至図３３に示すように、本発明の第４実施形態による大便器ユニット５０１は、洋風大便器４０２と、大便器ユニット５０１を作動させる種々の機能部を収納したキャビネット（図示せず）と、を有する。
【０１２２】
洋風大便器４０２は、ボール４０６と、洗浄水を吐水させるリム吐水ノズル４０７と、ボール４０６を水封するトラップ部４０８と、トラップ部４０８に向けて洗浄水を噴出するゼット吐水ノズル４０９と、を有する。
【０１２３】
また、キャビネット（図示せず）には、市水から供給された洗浄水を吐出させる給水バルブである水路切替手段４１６と、ボール４０６底部の静水圧を測定する水位測定手段である圧力センサ４１８と、水路切替手段４１６を制御し、使用者の尿量を計算する尿量算出手段を内蔵した制御手段４２０が収納されている。また、制御手段を操作する信号を送る操作・表示部４２２が壁面に取り付けられている。
【０１２４】
トラップ部４０８の出口側端部は、排水ソケット４２４を介して下水管４２６に接続されている。
リム吐水ノズル４０７は、ボール４０６の上部から、リムの接線方向に洗浄水を吐出させ、ボール４０６の壁面を洗浄するように構成されている。ゼット吐水ノズル４０９は、ボール４０６の底部からトラップ部４０８に向けて洗浄水を噴出させ、トラップ部４０８内にサイホン現象を誘発するように構成されている。
【０１２５】
水路切替手段４１６は、制御手段の制御信号に従って、市水から供給された洗浄水を、リム吐水ノズル４０７及びゼット吐水ノズル４０９から交互に吐水させるように構成されている。
【０１２６】
圧力センサ４１８は、ゼット吐水ノズル４０９と連通した圧力導管４１８ａによって導かれた、ボール４０６底部の静水圧を測定するように構成されている。図３１に示すように、ゼット吐水ノズル４０９と連通した圧力導管４１８ａは、水路拡大部４１８ｂ、開閉弁４１８ｃを介して圧力センサ４１８に接続されている。水路拡大部４１８ｂは、圧力導管４１８ａの途中に設けられ、圧力導管４１８ａよりも十分に大きな流路断面積を有するように構成されている。また、水路拡大部４１８ｂには、鉛直上方に延びる鉛直導管５０２が接続されている。さらに、水路拡大部４１８ｂと圧力センサ４１８の間に接続された第１開閉弁４１８ｃは、制御手段４２０によって、圧力センサ４１８による水位測定を行う際には開放され、水位測定を行わない時には閉鎖されるように構成されている。また、水路拡大部４１８ｂと圧力導管４１８ａの間に接続された第２開閉弁４１８ｄは、制御手段によって、通常は開放されるように構成されている。
【０１２７】
図３２に示すように、水路拡大部４１８ｂから鉛直上方に延びる鉛直導管５０２の上端には、水位設定弁である電磁弁５０４が接続されている。この電磁弁５０４の上方には、鉛直上方に向けて開口し、大気に開放された排水出口５０５が設けられている。この排水出口５０５は、尿量測定を開始すべきボール４０６内のスタート水位の高さに配置されている。排水出口５０５から溢れ出た水は、排水受け部５０６ａに落下し、戻り管５０６を通って排水ソケット４２４に排水されるように構成されている。即ち、ボール４０６内の水は、ゼット吐水ノズル４０９から、これに連通した圧力導管４１８ａ、水路拡大部４１８ｂ、鉛直導管５０２、電磁弁５０４を経て排水出口５０５から排水される。このゼット吐水ノズル４０９から排水出口５０５に到る経路は排水導管を構成し、また、ゼット吐水ノズル４０９のゼット噴出口は、排水導管の排水入口を兼ねる。また、戻り管５０６と排水ソケット４２４の間には、戻り管トラップ部５０６ｂが形成されており、排水配管内の臭気が開口から漏れないようになっている。
【０１２８】
制御手段４２０は、使用者の操作及び内蔵しているプログラムに従って、水路切替手段４１６を制御するように構成されている。また、制御手段は、尿量算出手段（図示せず）を内蔵しており、この尿量算出手段は、圧力センサ４１８によって測定された圧力に基づいて、ボール４０６内の水位を求め、予め記憶している水位と溜水量との関係を表す水位変化曲線により、使用者が排泄した尿量を計算するように構成されている。
【０１２９】
さらに、図３１に示すように、下水管内の圧力変動をモニターするための下水管圧力センサ５１０が、三方弁５０８を介して、排水ソケット４２４に連通するように設けられている。下水管圧力センサ５１０は、下水管内に連通するように排水ソケット４２４に接続され、下水管内の圧力を測定するように構成されている。本実施形態の大便器ユニット５０１では、下水管圧力センサ５１０によって下水管内の圧力を測定し、この圧力に基づいて溜水量の測定値を補正している。
【０１３０】
次に、図３４を参照して、本発明の第４実施形態による大便器ユニット５０１の作用を説明する。図３４は大便器ユニット５０１の作用を時系列で表すグラフである。
図３４に示すように、待機時においては、大便器ユニット５０１のボール４０６内の溜水の水位は、図３１にＨで示す溢流水位になっており、また、操作・表示部４２２には「測定可」と表示されている。次に、大便器ユニット５０１の使用者が、操作・表示部４２２の準備スイッチ（図示せず）を操作し、又はＩＤカードやタグなどの個人認証手段（図示せず）による認証操作を行うことによって、制御手段４２０は電磁弁５０４に制御信号を送り、電磁弁５０４を開放させる。また、操作・表示部４２２の表示は「準備中」になる。電磁弁５０４が開放されると、ボール４０６内の溜水は、ゼット吐水ノズル４０９、圧力導管４１８ａ、水路拡大部４１８ｂ、鉛直導管５０２、電磁弁５０４を通って、排水出口５０５から流出する。排水出口５０５から流出した水は、排水受け部５０６ａに落下し、戻り管５０６、戻り管トラップ部５０６ｂを通って、排水ソケット４２４から排出される。排水出口５０５は、溢流水位Ｈよりも低いスタート水位Ｙに配置されているので、ボール４０６内の溜水は、水位がスタート水位Ｙになるまで排水出口５０５から流出する。
【０１３１】
制御手段４２０は、電磁弁５０４を開放して、ボール４０６内の溜水水位がスタート水位Ｙになると、電磁弁５０４を閉鎖する。これと同時に、制御手段４２０は、開閉弁４１８ｃを開放して圧力センサ４１８を測定可能状態にする。また、三方弁５０８に制御信号を送って、大気に開放されていた管路を下水配管に切換え、下水管圧力センサ５１０による下水配管内圧力の測定を開始する。即ち、大気圧で較正を行った後、下水配管圧力の監視を開始することにより、オフセット誤差等の発生を防止している。
【０１３２】
さらに、制御手段４２０は、スタート水位Ｙを利用して圧力センサ４１８の較正を行う。スタート水位Ｙは、排水出口５０５の高さによって正確に設定されるので、この水位を利用して圧力センサ４１８を較正することにより、圧力センサ４１８のオフセット誤差等を補正することができる。また、圧力センサ４１８の較正は、トラップ部４０８の形状によって予め定められる溢流水位Ｈを使用して行うこともできる。或いは、圧力センサ４１８の較正を溢流水位Ｈ及びスタート水位Ｙの両方で行っても良い。この場合には、圧力センサ４１８のゲイン誤差等も補正することができる。このように、圧力センサ４１８の較正は、尿量測定の１回のサイクルごとに行っても良いし、或いは、大便器ユニット５０１の使用者が操作・表示部４２２の較正スイッチ（図示せず）を操作することによって実行されるように構成することもできる。
【０１３３】
次いで、大便器ユニット５０１の使用者が、操作・表示部４２２の測定開始スイッチ（図示せず）を操作し、又はＩＤカードやタグなどの個人認証手段（図示せず）による認証操作を行うことによって、操作・表示部４２２の表示が「測定中」に変化する。表示が「測定中」に変化した後、使用者はボール４０６に排尿する。使用者が排尿すると、図３４に示すように、ボール４０６内の水位は上昇し、水位Ｚとなる。
【０１３４】
排尿が終わった後、使用者が、操作・表示部４２２の排尿終了スイッチ（図示せず）を操作し、または溜水水位変化がなくなることにより排尿終了が検知されると、制御手段４２０は、圧力センサ４１８及び下水管圧力センサ４４０をＯＦＦにし、開閉弁４１８ｃを閉鎖する。これと同時に、制御手段４２０に内蔵されている尿量算出手段（図示せず）は、圧力センサ４１８によって測定されたスタート水位Ｙにおける圧力と、排尿後の水位Ｚにおける圧力の圧力差に基づいて、スタート水位Ｙと水位Ｚの水位差を計算する。次に、尿量算出手段は、計算された水位差と、排水出口５０５の高さに正確に設定されたスタート水位Ｙに基づいて、水位Ｚを計算する。さらに、尿量算出手段は、計算された水位Ｚと、予め記憶されている水位と溜水量の関係から、水位Ｚにおける溜水量を計算し、この溜水量からスタート水位Ｙにおける溜水量を差し引くことによって、尿量を計算する。計算された尿量は、操作・表示部４２２に表示され、プリンター（図示せず）からプリントアウトされ、又は電子記憶媒体や施設内ＬＡＮなどに電子情報として出力される。
【０１３５】
また、上述した尿量測定の間に、下水管圧力センサ５１０によって正圧又は負圧が検出されている場合には、尿量算出手段は、圧力センサ４１８によって測定された水位を、下水管圧力センサ５１０による圧力測定値に基づいて補正する。
【０１３６】
尿量測定終了後、使用者が、操作・表示部４２２の便器洗浄スイッチ（図示せず）を操作すると、操作・表示部４２２の表示が「準備中」に変化する。これと同時に、制御手段４２０は、リム吐水ノズル４０７から所定時間吐水させ、図３４に示すように、ボール４０６内の水位が溢流水位Ｈまで上昇すると共に、旋回流で汚物が中央に集められる。次いで、制御手段４２０は、リム吐水ノズル４０７からの吐水を停止し、ゼット吐水ノズル４０９から吐水させる。ゼット吐水ノズル４０９からの吐水により、トラップ部４０８にサイホン現象が発生し、ボール４０６内の洗浄水及び尿がトラップ部４０８に吸い込まれ、ボール４０６内の水位が低下する。サイホン現象終了後、制御手段４２０は、再びリム吐水ノズル４０７から所定時間吐水させ、ボール４０６内の水位を溢流水位Ｈまで上昇させて、待機状態に戻る。その後、操作・表示部４２２の表示が「測定可」に変化する。
【０１３７】
本発明の第４実施形態による大便器ユニットによれば、尿量測定を開始するスタート水位が、排水出口が配置された高さによって正確に設定されるので、高精度の尿量測定を行うことができる。
【０１３８】
上述した本発明の第４実施形態による大便器ユニットでは、ゼット吐水ノズルのゼット噴出口が排水入口を兼ね、圧力導管が排水配管の一部を兼ねているが、変形例として、排水入口をボール内の適当な位置にゼット吐水ノズルとは別に設け、この排水入口に連通した排水配管を圧力導管とは別に設けても良い。
【０１３９】
次に、本発明の第５実施形態による大便器ユニットを説明する。本発明の第５実施形態による大便器ユニットは、尿量測定を開始するボール内のスタート水位を設定する排水導管の構造、及び制御手段によるスタート水位の設定手順が、第４実施形態の大便器ユニットとは異なる。従って、ここでは、本発明の第５実施形態による大便器ユニットの第４実施形態とは異なる点のみを説明し、同様の構成要素については同一の符号を付して説明を省略する。
【０１４０】
図３５は本発明の第５実施形態による大便器ユニットの断面図である。
図３５に示すように、本発明の第５実施形態による大便器ユニット５５０においては、水路拡大部４１８ｂから上方に延びる鉛直導管５０２の上端に、水位設定弁である第１三方弁５５２の第１の出入口５５２ａが接続されている。この第１三方弁５５２の第２の出入口５５２ｂには、鉛直上方に延び、上端が開放された水柱５５４が接続されている。さらに、第１三方弁５５２の第３の出入口である排水出口５５２ｃは、戻り管５５６に接続されている。戻り管５５６は、排水出口５５２ｃから水平方向に延び、続いて下方に折れ曲がり、排水ソケット４２４に連通している。また、戻り管５５６には、排水出口５５２ｃよりも低い位置に配置された逆Ｕ字型の戻り管トラップ部５５６ａが設けられ、排水配管内の臭気が逆流しないようになっている。この構成によれば、第１三方弁５５２の第１の出入口５５２ａと排水出口５５２ｃが連通されると、ボール４０６内の水は、ゼット吐水ノズル４０９から、これに連通した圧力導管４１８ａ、水路拡大部４１８ｂ、鉛直導管５０２、第１三方弁５５２を経て排水出口５５２ｃから戻り管５５６に流出される。従って、ボール４０６内の水位は、排水出口５５２ｃの高さ（水位Ｙ）まで低下する。このゼット吐水ノズル４０９から排水出口５５２ｃに到る経路は排水導管を構成し、また、ゼット吐水ノズル４０９のゼット噴出口は、排水導管の排水入口を兼ねる。
【０１４１】
また、水路切替手段４１６とリム吐水ノズル４０７の間には、第２三方弁５５８が設けられている。この第２三方弁５５８の第１の出入口５５８ａは水路切替手段４１６に接続され、第２の出入口５５８ｂはリム吐水ノズル４０７に接続されている。従って、第２三方弁５５８の第１の出入口５５８ａと第２の出入口５５８ｂが連通されている状態においては、リム吐水ノズル４０７から吐水される。また、第２三方弁５５８の第３の出入口５５８ｃは、水路拡大部４１８ｂと圧力センサ４１８の間に接続された第３三方弁５６０の第１の出入口５６０ａに接続されている。さらに、この第３三方弁５６０の第２の出入口５６０ｂは水路拡大部４１８ｂに接続され、第３の出入口５６０ｃは圧力センサ４１８に接続されている。従って、第２三方弁５５８の第１の出入口５５８ａと第３の出入口５５８ｃが連通され、第３三方弁５６０の第１の出入口５６０ａと第２の出入口５６０ｂが連通されている状態においては、水路切替手段４１６から流出した水は、第２三方弁５５８及び第３三方弁５６０を通って水路拡大部４１８ｂに流入するように構成されている。
【０１４２】
次に、図３６を参照して、本発明の第５実施形態による大便器ユニット５５０の作用を説明する。図３６は大便器ユニット５５０の作用を時系列で表すグラフである。
図３６に示すように、待機時においては、大便器ユニット５５０のボール４０６内の溜水の水位は、図３５にＨで示す溢流水位になっており、また、操作・表示部４２２には「測定可」と表示されている。次に、大便器ユニット５５０の使用者が、操作・表示部４２２の準備スイッチ（図示せず）を操作し、又はＩＤカードやタグなどの個人認証手段（図示せず）による認証操作を行うことによって、操作・表示部４２２の表示は「準備中」になる。これと同時に、制御手段４２０は、水路切替手段４１６に制御信号を送り、ゼット吐水ノズル４０９から吐水させる。ゼット吐水ノズル４０９から吐水されると、トラップ部４０８にサイホン現象が発生し、ボール４０６内の水が吸引され、ボール４０６内の水位が低下する。所定時間ゼット吐水ノズル４０９からの吐水を行った後、制御手段４２０は、水路切替手段４１６、第１三方弁５５２、第２三方弁５５８、及び第３三方弁５６０に制御信号を送る。この制御信号により、水路切替手段４１６はリム吐水に切り替えられ、第１三方弁５５２は第１の出入口５５２ａと第３の出入口５５２ｃが連通され、第２三方弁５５８は第１の出入口５５８ａと第２の出入口５５８ｂの連通が継続され、第３三方弁５６０は第２の出入口５６０ｂと第３の出入口５６０ｃが連通される。さらに、制御手段４２０は、圧力センサ４１８及び下水管圧力センサ５１０に制御信号を送り、これらを作動させる。
【０１４３】
リム吐水ノズル４０７からの吐水により、ボール４０６内の水位は上昇する。これと同時にボール４０６内の水は、排水導管を通って排水出口５５２ｃから排水される。本実施形態においては、リム吐水ノズル４０７は水補給手段として機能する。所定時間リム吐水ノズル４０７から吐水を行った後、制御手段４２０は、リム吐水を停止させる。リム吐水ノズル４０７からの吐水が停止した後も、排水出口５５２ｃからの排水は行われるので、ボール４０６内の水位は、排水出口５５２ｃと同一の高さのスタート水位Ｙまで低下する。第１三方弁５５２は、所定時間排水を行った後、第１の出入口５５２ａと第３の出入口５５２ｃが連通する状態に復帰される。
【０１４４】
次いで、大便器ユニット５０１の使用者が、操作・表示部４２２の測定開始スイッチ（図示せず）を操作し、又はＩＤカードやタグなどの個人認証手段（図示せず）による認証操作を行うことによって、操作・表示部４２２の表示が「測定中」に変化する。表示が「測定中」に変化した後、使用者はボール４０６に排尿する。使用者が排尿すると、図３６に示すように、ボール４０６内の水位は上昇し、水位Ｚとなる。排尿が終了すると制御手段４２０は第３三方弁５６０に制御信号を送る。この制御信号により、第３三方弁５６０の第１の出入口５６０ａと第２の出入口５６０ｂが連通される。制御手段４２０に内蔵された尿量算出手段によって実行される使用者が排尿した尿量の計算については、第４実施形態と同様であるので説明を省略する。
【０１４５】
尿量測定終了後、使用者が、操作・表示部４２２の便器洗浄スイッチ（図示せず）を操作し、または溜水水位変化がなくなることにより排尿終了が検知されると、操作・表示部４２２の表示が「準備中」に変化する。これと同時に、制御手段４２０は、リム吐水ノズル４０７から所定時間吐水させ、図３６に示すように、ボール４０６内の水位が溢流水位Ｈまで上昇すると共に、旋回流で汚物が中央に集められる。次いで、制御手段４２０は、リム吐水ノズル４０７からの吐水を停止し、ゼット吐水ノズル４０９から吐水させる。ゼット吐水ノズル４０９からの吐水により、サイホン現象が発生し、ボール４０６内の水位が低下する。サイホン現象終了後、制御手段４２０は、再びリム吐水ノズル４０７から所定時間吐水させ、ボール４０６内の水位を溢流水位Ｈまで上昇させる。
【０１４６】
次いで、制御手段４２０は、第２三方弁５５８に制御信号を送る。この制御信号により、第２三方弁５５８は第１の出入口５５８ａと第３の出入口５５８ｃが連通される。これにより、水路切替手段４１６から流出した水は、第２三方弁５５８及び第３三方弁５６０を通って水路拡大部４１８ｂに流入し、さらに、圧力導管４１８ａ、ゼット吐水ノズル４０９を通ってボール４０６内に流入する。これにより、尿等の汚物が流入する可能性があるこれらの経路を洗浄することができる。その後、操作・表示部４２２の表示が「測定可」に変化し、待機状態に復帰する。
【０１４７】
本発明の第５実施形態による大便器ユニットによれば、尿量測定を開始するスタート水位が、排水出口が配置された高さによって正確に設定されるので、高精度の尿量測定を行うことができる。
【０１４８】
また、本実施形態による大便器ユニットによれば、排水出口からの排水を、サイホン現象によってボール内の水位を低下させた後、リム給水と共に行うので、ボール内の水位がスタート水位に到達するまでの時間を短縮することができる。
【０１４９】
さらに、本実施形態による大便器ユニットによれば、圧力導管等の流水路を洗浄することができるので、大便器ユニットの作動の信頼性を向上させることができる。
【０１５０】
上述した実施形態では、排水導管の排水入口と排水出口を連通させ又は遮断させる水位設定弁として、第１三方弁５５２を使用しているが、変形例として、本発明の第４実施形態による大便器ユニット５０１のように、水位設定弁として、電磁弁５０４等の三方弁以外の弁を使用することもできる。また、逆に、本発明の第４実施形態による大便器ユニット５０１の水位設定弁として、三方弁を使用することもできる。
【０１５１】
次に、本発明の第６実施形態による大便器ユニットを説明する。本発明の第６実施形態による大便器ユニットは、尿量測定を開始するボール内のスタート水位を設定する排水導管の構造、及び制御手段によるスタート水位の設定手順等が、第５実施形態の大便器ユニットとは異なる。従って、ここでは、本発明の第６実施形態による大便器ユニットの第５実施形態とは異なる点のみを説明し、同様の構成要素については同一の符号を付して説明を省略する。
【０１５２】
図３７は本発明の第６実施形態による大便器ユニットの断面図である。
図３７に示すように、本発明の第６実施形態による大便器ユニット６００においては、第５実施形態における第１三方弁の代わりに、水位設定弁として、ロータリー弁６０８を使用している。まず、水路切替手段４１６とリム吐水ノズル４０７の間には、第２三方弁６０２が設けられている。この第２三方弁６０２の第１の出入口６０２ａは水路切替手段４１６に接続され、第２の出入口６０２ｂはリム吐水ノズル４０７に接続されている。従って、第２三方弁６０２の第１の出入口６０２ａと第２の出入口６０２ｂが連通されている状態においては、リム吐水ノズル４０７から吐水される。また、第２三方弁６０２の第３の出入口６０２ｃは、洗浄用タンク６０４の流入管６０４ａに接続されている。この流入管６０４ａは、その末端が洗浄用タンク６０４の上部で終わっており、流入管６０４ａの末端は、洗浄用タンク６０４内に貯められた洗浄水に接触していない。従って、第２三方弁６０２の第１の出入口６０２ａと第３の出入口６０２ｃが連通されている状態においては、水路切替手段４１６から流出した水は洗浄用タンク６０４に流入する。また、洗浄用タンク６０４の流入管６０４ａは、洗浄用タンク６０４の水と接触せず、吐水口間隙を設けているので、洗浄用タンク６０４から水路切替手段４１６の方へ水が逆流することはない。
【０１５３】
さらに、洗浄用タンク６０４には、流出管６０４ｂが接続されており、この流出管６０４ｂは洗浄用タンク６０４の底部から外部に延びている。洗浄用タンク６０４内から延びる流出管６０４ｂは、ポンプ６０６に接続されている。ポンプ６０６の流出管６０６ａは、水位設定弁であるロータリー弁６０８の第１の出入口６０８ａに接続されている。このロータリー弁６０８の第２の出入口６０８ｂは、尿量測定のスタート水位である水位Ｙの高さに配置されており、この第２の出入口６０８ｂは、排水ソケット４２４に接続されている。従って、ロータリー弁６０８の第１の出入口６０８ａと第２の出入口６０８ｂが連通されている状態において、ポンプ６０６を作動させると、洗浄用タンク６０４内の水が、排水ソケット４２４を通って下水管に排水され、この水流によってトラップ部４０８の空気も一緒に下水管に引かれるため、下水配管中の臭気はトイレ内に拡散しない。本実施形態においては、スタート水位Ｙは、封水水位よりも低い水位、即ち、破封水位に設定される。
【０１５４】
また、ロータリー弁６０８の第３の出入口６０８ｃは、第３三方弁５６０の第１の出入口５６０ａに接続されている。さらに、第３三方弁５６０の第２の出入口５６０ｂは、水路拡大部４１８ｂに接続され、第３の出入口５６０ｃは圧力センサ４１８に接続されている。従って、ロータリー弁６０８の第１の出入口６０８ａと第３の出入口６０８ｃが連通され、第３三方弁５６０の第１の出入口５６０ａと第２の出入口５６０ｂが連通されている状態において、ポンプ６０６を作動させると、洗浄用タンク６０４内の水は、ロータリー弁６０８及び第３三方弁５６０を通って水路拡大部４１８ｂに流入し、溜水をスタート水位にセットし、又は、溜水と接触した測定配管を洗浄してボール面に排出されるモードとなる。また、水路拡大部４１８ｂには、鉛直上方に延びる水柱６１０が接続され、この水柱６１０の大気に開放された上端から空気抜きを行っている。また、水柱６１０の上端は、溢流水位Ｈよりも高い位置に配置されている。
【０１５５】
次に、図３８を参照して、本発明の第６実施形態による大便器ユニット６００の作用を説明する。図３８は大便器ユニット６００の作用を時系列で表すグラフである。
図３８に示すように、待機時においては、大便器ユニット６００のボール４０６内の溜水の水位は、図３７にＨで示す溢流水位になっており、また、操作・表示部４２２には「測定可」と表示されている。次に、大便器ユニット６００の使用者が、操作・表示部４２２の準備スイッチ（図示せず）を操作し、又はＩＤカードやタグなどの個人認証手段（図示せず）による認証操作を行うことによって、操作・表示部４２２の表示は「準備中」になる。これと同時に、制御手段４２０は、水路切替手段４１６に制御信号を送り、ゼット吐水ノズル４０９から吐水させる。ゼット吐水ノズル４０９から吐水されると、トラップ部４０８にサイホン現象が発生し、ボール４０６内の水が吸引され、ボール４０６内の水位が水位Ｘまで低下する。所定時間ゼット吐水ノズル４０９からの吐水を行った後、制御手段４２０は、水路切替手段４１６、第２三方弁６０２、第３三方弁５６０、及びロータリー弁６０８に制御信号を送る。この制御信号により、水路切替手段４１６はゼット吐水を停止し、第２三方弁６０２は第１の出入口６０２ａと第２の出入口６０２ｂの連通を維持し、第３三方弁５６０は第１の出入口５６０ａと第２の出入口５６０ｂの連通を維持し、ロータリー弁６０８は第２の出入口６０８ｂと第３の出入口６０８ｃが連通される。さらに、制御手段４２０は、圧力センサ４１８に制御信号を送り、これらを作動させる。圧力センサ４１８は、排尿終了操作又は水位変化がなくなるまで水位を圧力値として出力する。
【０１５６】
ゼット吐水ノズル４０９からの吐水が終了した後において、トラップ部４０８の頂部４０８ａを越えていない水がボール４０６の底部に戻るため、ボール４０６内の水位は上昇に転じる。一方、第３三方弁５６０の第１の出入口５６０ａと第２の出入口５６０ｂが連通し、ロータリー弁６０８の第２の出入口６０８ｂと第３の出入口６０８ｃが連通しているので、ボール４０６内の水は、ゼット吐水ノズル４０９、これに連通する圧力導管４１８ａ、水路拡大部４１８ｂ、第３三方弁５６０、ロータリー弁６０８を通って排水ソケット４２４に排水される。このゼット吐水ノズル４０９から排水出口であるロータリー弁６０８の第２の出入口６０８ｂに到る経路は排水導管を構成し、また、ゼット吐水ノズル４０９のゼット噴出口は、排水導管の排水入口を兼ねる。ロータリー弁６０８の第２の出入口６０８ｂは、尿量測定のスタート水位である水位Ｙの高さに配置されているので、ボール４０６内の水位がスタート水位Ｙになるまで排水される。
【０１５７】
水位がＹにセットされると、制御手段４２０は、水路切替手段４１６、第３三方弁５６０、及びロータリー弁６０８に制御信号を送る。この制御信号により、第３三方弁５６０は第２の出入口５６０ｂと第３の出入口５６０ｃが連通され、ロータリー弁６０８は第１の出入口６０８ａと第２の出入口６０８ｂが連通される。さらに、制御手段４２０は、ポンプ６０６に制御信号を送り、これを作動させる。ポンプ６０６が作動されると、洗浄用タンク６０４内の水が流出管６０４ｂを通って吸引され、ポンプ６０６の流出管６０６ａ、ロータリー弁６０８を通って排水ソケット４２４から排水される。この排水によるエジェクタ効果により、ボール４０６内の空気が排水配管に吸引される。これにより、排水配管内の臭気が逆流することはない。
【０１５８】
次いで、大便器ユニット６００の使用者が、操作・表示部４２２の測定開始スイッチ（図示せず）を操作すると、操作・表示部４２２の表示が「測定中」に変化する。表示が「測定中」に変化した後、使用者はボール４０６に排尿する。使用者が排尿すると、図３８に示すように、ボール４０６内の水位は上昇し、水位Ｚとなる。制御手段４２０に内蔵された尿量算出手段によって実行される使用者が排尿した尿量の計算については、第４実施形態と同様であるので説明を省略する。
【０１５９】
尿量測定終了後、使用者が、操作・表示部４２２の便器洗浄スイッチ（図示せず）を操作すると、操作・表示部４２２の表示が「準備中」に変化する。これと同時に、制御手段４２０は、ポンプ６０６に制御信号を送り、その作動を停止させる。また、制御手段４２０は、リム吐水ノズル４０７から所定時間吐水させ、図３８に示すように、ボール４０６内の水位が溢流水位Ｈまで上昇する。次いで、制御手段４２０は、リム吐水ノズル４０７からの吐水を停止し、ゼット吐水ノズル４０９から吐水させる。ゼット吐水ノズル４０９からの吐水により、サイホン現象が発生し、ボール４０６内の水位が低下する。サイホン現象終了後、制御手段４２０は、再びリム吐水ノズル４０７から所定時間吐水させ、ボール４０６内の水位を溢流水位Ｈまで上昇させる。
【０１６０】
次いで、制御手段４２０は、第２三方弁６０２、第３三方弁５６０、及びロータリー弁６０８に制御信号を送る。この制御信号により、第２三方弁６０２は第１の出入口６０２ａと第３の出入口６０２ｃが連通され、第３三方弁５６０は第１の出入口５６０ａと第２の出入口５６０ｂの連通が維持され、ロータリー弁６０８は、第１の出入口６０８ａと第３の出入口６０８ｃが連通される。また、制御手段４２０は、ポンプ６０６に制御信号を送り、これを作動させる。これにより、水路切替手段４１６から流出した水は、まず洗浄用タンク６０４内に流入する。また、洗浄用タンク６０４内の水は、ポンプ６０６により、ロータリー弁６０８、第３三方弁５６０を通って水路拡大部４１８ｂに流入される。さらに、水路拡大部４１８ｂに流入した水は、圧力導管４１８ａ、ゼット吐水ノズル４０９を通ってボール４０６内に排水される。これにより、尿等の汚物が流入する可能性があるこれらの経路を洗浄することができる。その後、操作・表示部４２２の表示が「測定可」に変化し、ポンプ６０６は停止され、各弁は、待機状態に復帰する。
【０１６１】
本発明の第６実施形態による大便器ユニットによれば、尿量測定を開始するスタート水位が、排水出口が配置された高さによって正確に設定されるので、高精度の尿量測定を行うことができる。
【０１６２】
また、本実施形態による大便器ユニットによれば、測定準備中及び測定中において、ロータリー弁を介して排水ソケットに排水を行っているので、尿量測定のスタート水位を封水水位以下に設定しても、下水管内の臭気が逆流することがない。
【０１６３】
さらに、本実施形態による大便器ユニットによれば、圧力導管等の流水路を洗浄することができるので、大便器ユニットの作動の信頼性を向上させることができる。
【０１６４】
次に、本発明の第７実施形態による大便器ユニットを説明する。本発明の第７実施形態による大便器ユニットは、尿量測定を開始するボール内のスタート水位の設定機構が、第５実施形態の大便器ユニットとは異なる。従って、ここでは、本発明の第７実施形態による大便器ユニットの第５実施形態とは異なる点のみを説明し、同様の構成要素については同一の符号を付して説明を省略する。
【０１６５】
図３９は本発明の第７実施形態による大便器ユニットの断面図であり、図４０はそのスタート水位の設定に使用される溜水タンクの断面図である。
図３９及び図４０に示すように、本発明の第７実施形態による大便器ユニット７００は、洋風大便器４０２と、大便器ユニット７００を作動させる種々の機能部を収納したキャビネット４０４（図３９には図示せず）と、を有する。
【０１６６】
洋風大便器４０２は、ボール４０６と、洗浄水を吐水させるリム吐水ノズル４０７と、ボール４０６を水封するトラップ部４０８と、トラップ部４０８に向けて洗浄水を噴出するサイホン現象発生手段であるゼット吐水ノズル４０９と、を有する。
【０１６７】
また、キャビネット４０４には、市水から供給された洗浄水を吐出させる給水バルブである水路切替手段４１６と、ボール４０６底部の静水圧を測定する水位測定手段である圧力センサ４１８と、水路切替手段４１６を制御し、使用者の尿量を計算する制御手段４２０（図３９には図示せず）が収納されている。また、制御手段を操作する信号を送る操作・表示部４２２（図３９には図示せず）が壁面に取り付けられている。
トラップ部４０８の出口側端部は、排水ソケット４２４を介して下水管４２６に接続されている。
【０１６８】
リム吐水ノズル４０７は、ボール４０６の上部から、リムの接線方向に洗浄水を吐出させ、ボール４０６の壁面を洗浄するように構成されている。ゼット吐水ノズル４０９は、ボール４０６の底部からトラップ部４０８に向けて洗浄水を噴出させ、トラップ部４０８内にサイホン現象を誘発するように構成されている。
【０１６９】
水路切替手段４１６は、制御手段の制御信号に従って、市水から供給された洗浄水を、リム吐水ノズル４０７及びゼット吐水ノズル４０９から交互に吐水させるように構成されている。
【０１７０】
圧力センサ４１８は、ゼット吐水ノズル４０９と連通した圧力導管４１８ａによって導かれた、ボール４０６底部の静水圧を測定するように構成されている。図３９に示すように、ゼット吐水ノズル４０９と連通した圧力導管４１８ａは、水路拡大部４１８ｂ、第１開閉弁４１８ｃを介して圧力センサ４１８に接続されている。水路拡大部４１８ｂは、圧力導管４１８ａの途中に設けられ、圧力導管４１８ａよりも十分に大きな流路断面積を有するように構成されている。さらに、水路拡大部４１８ｂと圧力センサ４１８の間に接続された第１開閉弁４１８ｃは、制御手段４２０によって、圧力センサ４１８による水位測定を行う際には開放され、水位測定を行わない時には閉鎖されるように構成されている。
【０１７１】
また、図３９に示すように、水路切替手段４１６とリム吐水ノズル４０７の間には、第１三方弁７０２が設けられている。この第１三方弁７０２の第１の出入口７０２ａと第２の出入口７０２ｂが連通されると、水路切替手段４１６から直接リム吐水ノズル４０７に吐水されるようになっている。また、第１三方弁７０２の第３の出入口７０２ｃは逆流防止のための吐水口間隙を設けて、溜水タンク７０４に接続されている。第１三方弁７０２の第１の出入口７０２ａと第３の出入口７０２ｃが連通されると、水路切替手段４１６から溜水タンク７０４に水が供給されるようになっている。従って、本実施形態において、水路切替手段４１６及び第１三方弁７０２は、溜水タンク給水手段を構成する。
【０１７２】
図４０に示すように、洗浄用タンク７０６が、溜水タンク７０４を取り囲むように設けられており、溜水タンク７０４から溢れた水が洗浄用タンク７０６に流入するようになっている。また、第１三方弁７０２の第３の出入口７０２ｃに接続された給水管７０２ｄは、溜水タンク７０４の上端より間隙を設けた位置にその吐水口を開口しており、溜水タンク７０４側から給水側への逆流を防止している。溜水タンク７０４の底部には、流出管７０４ａが接続されており、溜水タンク７０４内の水が、流出管７０４ａに接続された第３開閉弁７１０を介してリム吐水ノズル４０７から吐水されるようになっている。
【０１７３】
また、洗浄用タンク７０６には、水位検出手段であるフロートスイッチ７０６ｂが設けられている。このフロートスイッチ７０６ｂは、溜水タンク７０４に供給された水が洗浄用タンク７０６に溢れ出て、洗浄用タンク７０６内の水位が所定水位に到達すると、溜水タンク７０４への給水を停止させるように構成されている。このため、溜水タンク７０４に貯められる水の量は溜水タンク７０４の容積によって決まり、溜水タンク７０４には一定量の水が貯められることになる。さらに、洗浄用タンク７０６には、フロートスイッチ７０６ｂによって設定される所定水位よりも高い位置にオーバーフロー管７０６ｃが接続されている。このオーバーフロー管７０６ｃは、第４開閉弁７１４（図３９）を介してリム吐水ノズル４０７に接続されている。これにより、万一、溜水タンク７０４への給水がフロートスイッチ７０６ｂの不具合等によって停止されなくなったとき、洗浄用タンク７０６の水をボール４０６へ排出し、洗浄用タンク７０６から水が溢れるのを防止している。
【０１７４】
さらに、洗浄用タンク７０６の底部には、流出管７０６ａが接続されている。図３９に示すように、この流出管７０６ａは、ポンプ７０８、第５開閉弁７１２を介して水路拡大部４１８ｂに接続されている。従って、第５開閉弁７１２を開放した状態でポンプ７０８を作動させると、洗浄用タンク７０６内の水が水路拡大部４１８ｂに流入する。
【０１７５】
さらに、図３９に示すように、下水管内で発生した負圧を逃がすための通気弁７１６が、７１８を介して排水ソケット４２４に連通するように設けられている。また、下水管内の圧力変動をモニターするための下水管圧力センサ７２０が、第２三方弁７２２を介して排水ソケット４２４に連通するように設けられている。本実施形態においては、通気弁７１６として森永エンジニアリング株式会社製「ドルゴ」（商標）又は株式会社キッツ製「通気番」（商標）を使用している。この通気弁７１６として、一般的に下水管経路の圧抜きに使用されている任意の通気弁を使用することができる。下水管圧力センサ７２０は、下水管内に連通するように排水ソケット４２４に接続され、下水管内の圧力を測定するように構成されている。本実施形態の大便器ユニット７００では、下水管圧力センサ７２０によって下水管内の圧力を測定し、この圧力に基づいて溜水水量の測定値を補正している。また、下水管内の圧力が低下すると、通気弁７１６を介して大気が下水管内に導入されるので、下水管内に大きな負圧が発生することはない。
【０１７６】
次に、図４１を参照して、本発明の第７実施形態による大便器ユニット７００の作用を説明する。図４１は大便器ユニット７００の作用を時系列で表すグラフである。
図４１に示すように、待機時においては、大便器ユニット７００のボール４０６内の溜水の水位は、図３９にＹで示すスタート水位になっており、また、操作・表示部４２２には「測定可」と表示されている。次に、大便器ユニット７００の使用者が、操作・表示部４２２の準備スイッチ（図示せず）を操作し、又はＩＤカードやタグなどの個人認証手段（図示せず）による認証操作を行うことによって、操作・表示部４２２の表示は「準備中」になる。これと同時に、制御手段４２０は、第１開閉弁４１８ｃ及び第２三方弁７２２に制御信号を送る。これにより、水路拡大部４１８ｂと圧力センサ４１８、及び下水管圧力センサ７２０と下水管が連通される。また、制御手段４２０は、圧力センサ４１８及び下水管圧力センサ７２０に制御信号を送り、これらを作動させる。
【０１７７】
所定時間経過すると、操作・表示部４２２の表示が「測定中」に変化する。表示が「測定中」に変化した後、使用者はボール４０６に排尿する。使用者が排尿すると、図４１に示すように、ボール４０６内の水位は上昇し、水位Ｚとなる。制御手段４２０は、圧力センサ４１８によって測定される圧力変化がなくなると、使用者の排尿が終了したと判定し、使用者の排尿量の計算を開始する。制御手段４２０に内蔵された尿量算出手段によって実行される使用者が排尿した尿量の計算については、第４実施形態と同様であるので説明を省略する。
【０１７８】
また、排尿量の計算開始と同時に、制御手段４２０は、圧力センサ４１８及び下水管圧力センサ７２０に制御信号を送り、これらをＯＦＦにし、第１開閉弁４１８ｃに制御信号を送り、これを閉鎖する。さらに、制御手段４２０は、第６開閉弁７１８に制御信号を送ってこれを閉鎖し、通気弁７１６からの大気の吸入を遮断する。また、制御手段４２０は、第５開閉弁７１２を開放して、ポンプ７０８を作動させる。これにより、洗浄用タンク７０６タンク内の水は、ポンプ７０８、第５開閉弁７１２、水路拡大部４１８ｂ、第２開閉弁４１８ｄ、圧力導管４１８ａを通ってゼット吐水ノズル４０９から吐水され、これらの経路が洗浄される。
【０１７９】
尿量測定終了後、使用者が、操作・表示部４２２の便器洗浄スイッチ（図示せず）を操作すると、操作・表示部４２２の表示が「準備中」に変化する。これと同時に、制御手段４２０は、水路切替手段４１６に制御信号を送って、リム吐水ノズル４０７から所定時間吐水させ、図４１に示すように、ボール４０６内の水位が溢流水位Ｈまで上昇する。この際、水路切替手段４１６から流出した水は、第１三方弁７０２の第１の出入口７０２ａから流入して第２の出入口７０２ｂから流出し、リム吐水ノズル４０７を通って吐水される。次いで、制御手段４２０は、リム吐水ノズル４０７からの吐水を停止し、ゼット吐水ノズル４０９から吐水させる。ゼット吐水ノズル４０９からの吐水により、サイホン現象が発生し、ボール４０６内の水位が、水位Ｘに低下して、ボール４０６内の溜水量はほぼゼロになる。従って、本実施形態において、ゼット吐水ノズル４０９は溜水排出手段として機能する。
【０１８０】
所定時間ゼット吐水を行った後、制御手段４２０は、ゼット吐水を停止させる。これと同時に、制御手段４２０は、第３開閉弁７１０に制御信号を送ってこれを開放し、溜水タンク７０４内に貯められた所定量の水を、第３開閉弁７１０、リム吐水ノズル４０７を介してボール４０６内に吐水させる。所定時間第３開閉弁７１０を開放すると、溜水タンク７０４内の水が全てボール４０６内に流入する。ここで、溜水タンク７０４からの給水を行う前のボール４０６内の溜水量はほぼゼロであるので、所定量の水が貯められた溜水タンク７０４内の水を全てボール４０６内に流入させた後のボール４０６内の溜水量は常にほぼ一定となり、この時の水位がスタート水位Ｙとなる。本実施形態においては、スタート水位Ｙは、封水水位よりも２５ｍｍ高い水位に設定されている。
【０１８１】
溜水タンク７０４内の水が全てボール４０６内に流入すると、制御手段４２０は、第３開閉弁７１０を閉鎖させる。同時に、制御手段４２０は、第１三方弁７０２に制御信号を送り、第１三方弁７０２の第１の出入口７０２ａと第３の出入口７０２ｃを連通させる。これにより、水路切替手段４１６から流出した水は、第１三方弁７０２を通って空になっていた溜水タンク７０４に流入する。溜水タンク７０４に水が流入すると、溜水タンク７０４内の水位が上昇する。溜水タンク７０４が満杯になると、水は溜水タンク７０４から溢れて洗浄用タンク７０６に流入する。洗浄用タンク７０６の水位が上昇し、所定の水位に達すると、洗浄用タンク７０６に設けられたフロートスイッチ７０６ｂが作動して制御手段４２０に信号が送られ、制御手段４２０は、水路切替手段４１６からの給水を停止させる。水路切替手段４１６からの給水が停止すると、操作・表示部４２２の表示が「測定可」に変化し、大便器ユニット７００は待機状態に復帰する。
【０１８２】
また、制御手段４２０は、溜水タンク７０４への給水が開始されたとき、第４開閉弁７１４を開放させる。これにより、万一、フロートスイッチ７０６ｂによって給水が停止されなかった場合には、洗浄用タンク７０６内の水を、第４開閉弁７１４、リム吐水ノズル４０７を介してボール４０６内に排水し、洗浄用タンク７０６から溢れることがないようにしている。
【０１８３】
また、待機状態において、下水管内に所定値（本実施形態においては２５ｍｍＡｑａ）以上の圧力変動が生じ、封水が破れる恐れがあるときは、制御手段４２０は、リム吐水ノズル４０７から溜水を補給し、ボール内の水位を上昇させる。従って、本実施形態において、制御手段４２０、及びリム吐水ノズル４０７は、水補給手段として機能する。
【０１８４】
さらに、本実施形態の大便器ユニット７００を尿量測定ではなく、大便の用途で使用する場合には、使用者が操作・表示部４２２の大便使用スイッチ（図示せず）を押してから使用する。大便使用スイッチ（図示せず）が押されると、制御手段４２０は、リム吐水ノズル４０７からリム給水を行い、ボール４０６内の溜水水位を、溢流水位Ｈまで上昇させる。リム給水は毎分２０Ｌ程度の流量で行われるため、水位を溢流水位Ｈまで上昇させるために要する時間は約１０秒以内であり、使用者の使い勝手が悪くなることはない。また、水位を溢流水位Ｈまで上昇させることにより、十分な溜水面積を確保することができ、また、ゼット吐水によるサイホン現象を有効に発生させることができる。また、大便使用の認定を着座検知機構と連動させて、例えば、着座されて一定時間以内に準備スイッチが押されなかった場合に、大便使用と認定するようにしても良い。
【０１８５】
また、本実施形態の大便器ユニット７００では、待機状態において、ボール４０６内の水位がスタート水位Ｙにあるため、長時間使用しない場合には、蒸発によってボール４０６内のスタート水位Ｙが低下してしまうことが考えられる。一般に、この水位低下は２４時間で１ｍｍ程度であるため、本実施形態においては、大便器ユニット７００が１２時間使用されない場合には、制御手段４２０は、便器洗浄を行い、スタート水位Ｙを再び設定しなおす。
【０１８６】
本発明の第７実施形態による大便器ユニットによれば、尿量測定を開始するスタート水位が、溜水タンクの容量によって正確に設定されるので、高精度の尿量測定を行うことができる。
【０１８７】
また、本実施形態による大便器ユニットによれば、待機状態において、ボール内の水位がスタート水位に設定されているので、測定開始の準備に要する時間を短縮することができる。
【０１８８】
さらに、本実施形態による大便器ユニットによれば、圧力導管等の流水路を洗浄することができるので、大便器ユニットの作動の信頼性を向上させることができる。
【０１８９】
上述した本発明の第７実施形態による大便器ユニットにおいては、溜水排出手段であるゼット吐水ノズルによってサイホン現象を誘発し、ボール内の溜水を排出していたが、変形例として、ボール底部に排水口（図示せず）を設けておき、この排水口に接続された開閉弁を開放することによりボール内の水量をゼロとし、その後、溜水タンク内の水をボールに導入することによってスタート水位を設定するように構成することもできる。
【０１９０】
次に、本発明の第８実施形態による大便器ユニットを説明する。本発明の第８実施形態による大便器ユニットは、尿量測定を開始するボール内のスタート水位の設定機構が、第７実施形態の大便器ユニットとは異なる。従って、ここでは、本発明の第８実施形態による大便器ユニットの第７実施形態とは異なる点のみを説明し、同様の構成要素については同一の符号を付して説明を省略する。
【０１９１】
図４２は本発明の第８実施形態による大便器ユニットの断面図であり、図４３はそのスタート水位の設定に使用される溜水タンクの断面図である。
図４２及び図４３に示すように、本発明の第８実施形態による大便器ユニット８００においては、水路切替手段４１６のリム給水側に第７開閉弁８０４及び第８開閉弁８０２が接続されている。この第８開閉弁８０２の他端８０２ａは、リム吐水ノズル４０７に接続されている。また、第７開閉弁８０４の他端８０４ａには、溜水タンク８０５が接続されている。図４３に示すように、この溜水タンク８０５は、密封構造になっている。この溜水タンク８０５の底部には、第３開閉弁８０６の一端８０６ａが接続され、この第３開閉弁８０６の一端８０６ａは、第５開閉弁７１２に接続されている。また、第３開閉弁８０６の他端８０６ｂは、リム吐水ノズル４０７に接続されている。さらに、溜水タンク８０５の側面にはオーバーフロー管８０８ａが接続されており、このオーバーフロー管８０８ａは、第４開閉弁８０８を介してリム吐水ノズル４０７に接続されている。また、溜水タンク８０５の上部には、第９開閉弁８１２を介して圧送手段であるコンプレッサー８１０が接続されている。
【０１９２】
次に、図４４を参照して、本発明の第８実施形態による大便器ユニット８００の作用を説明する。図４４は大便器ユニット８００の作用を時系列で表すグラフである。
図４４に示すように、待機時においては、大便器ユニット８００のボール４０６内の溜水の水位は、図４２にＨで示すスタート水位になっており、また、操作・表示部４２２には「測定可」と表示されている。次に、大便器ユニット８００の使用者が、操作・表示部４２２の準備スイッチ（図示せず）を操作し、又はＩＤカードやタグなどの個人認証手段（図示せず）による認証操作を行うことによって、操作・表示部４２２の表示は「準備中」になる。これと同時に、制御手段４２０は、水路切替手段４１６に制御信号を送り、ゼット吐水ノズル４０９から吐水させる。ゼット吐水ノズル４０９から吐水されると、トラップ部４０８にサイホン現象が発生し、ボール４０６内の水が吸引され、ボール４０６内の水量がほぼゼロになる。従って、本実施形態において、ゼット吐水ノズル４０９は溜水排出手段として機能する。
【０１９３】
また、制御手段４２０は、第９開閉弁８１２を開放して溜水タンク８０５内の圧力を高める。所定時間ゼット吐水ノズル４０９からの吐水を行った後、制御手段４２０は、第９開閉弁８１２を閉鎖し、第１開閉弁４１８ｃ及び第３開閉弁８０６を開放する。第３開閉弁８０６が開放されると、溜水タンク８０５内に貯められていた所定量の水が、リム吐水ノズル４０７から吐水される。ここで、溜水タンク８０５内は、圧送手段であるコンプレッサー８１０によって加圧されているので、溜水タンク８０５の水は急速にリム吐水ノズル４０７から吐水される。溜水タンク８０５内の水が全て吐水されると、ボール４０６内の水位はスタート水位Ｙとなる。ここで、溜水タンク８０５内の水を吐水させる前のボール４０６内の水量（水位Ｘ）はほぼゼロであるため、スタート水位Ｙは、溜水タンク８０５内に貯められていた水量によって設定される。
【０１９４】
溜水タンク８０５内の水が全て吐水された後、制御手段４２０は、第３開閉弁８０６を閉鎖する。また、制御手段４２０は、第２三方弁７２２に制御信号を送り、下水管圧力センサ７２０と下水管を連通させる。これと同時に、制御手段４２０は、圧力センサ４１８及び下水管圧力センサ７２０に制御信号を送り、これらを作動させる。
【０１９５】
さらに、操作・表示部４２２の表示は「測定中」に変化する。表示が「測定中」に変化した後、使用者はボール４０６に排尿する。使用者が排尿すると、図４４に示すように、ボール４０６内の水位は上昇し、水位Ｚとなる。制御手段４２０は、圧力センサ４１８によって測定される圧力変化がなくなるか、又は排尿終了スイッチを操作すると、使用者の排尿が終了したと判定し、使用者の排尿量の計算を開始する。制御手段４２０に内蔵された尿量算出手段によって実行される使用者が排尿した尿量の計算については、第４実施形態と同様であるので説明を省略する。
【０１９６】
また、排尿量の計算開始と同時に、制御手段４２０は、圧力センサ４１８及び下水管圧力センサ７２０に制御信号を送ってこれらをＯＦＦにし、第１開閉弁４１８ｃに制御信号を送ってこれを閉鎖する。さらに、制御手段４２０は、第６開閉弁７１８に制御信号を送ってこれを閉鎖し、通気弁７１６からの大気の吸入を遮断する。
【０１９７】
尿量測定終了後、使用者が、操作・表示部４２２の便器洗浄スイッチ（図示せず）を操作すると、操作・表示部４２２の表示が「準備中」に変化する。これと同時に、制御手段４２０は、水路切替手段４１６及び第８開閉弁８０２に制御信号を送って、リム吐水ノズル４０７から所定時間吐水させ、図４４に示すように、ボール４０６内の水位が溢流水位Ｈまで上昇する。この際、水路切替手段４１６から流出した水は、第８開閉弁８０２を通ってリム吐水ノズル４０７から吐水される。次いで、制御手段４２０は、リム吐水ノズル４０７からの吐水を停止し、ゼット吐水ノズル４０９から吐水させる。ゼット吐水ノズル４０９からの吐水により、サイホン現象が発生し、ボール４０６内の水位が低下する。
【０１９８】
所定時間ゼット吐水を行った後、制御手段４２０は、ゼット吐水を停止させ、リム吐水を再開してボール４０６内の水位を溢流水位Ｈまで上昇させる。ボール４０６内の水位が溢流水位Ｈまで上昇した後、制御手段４２０は、第８開閉弁８０２を閉鎖させ、第７開閉弁８０４及び第４開閉弁８０８を開放させる。第７開閉弁８０４を開放させることによって、水路切替手段４１６から流出した水は、溜水タンク８０５に流入し、溜水タンク８０５内の水位が上昇する。溜水タンク８０５内の水位がオーバーフロー管８０８ａの設けられた高さまで上昇すると、溜水タンク８０５内の水は、第４開閉弁８０８を通ってリム吐水ノズル４０７からボール４０６内へ排水されるので、溜水タンク８０５内に貯められている水量は一定になる。
【０１９９】
その後、制御手段４２０は、第７開閉弁８０４及び第４開閉弁８０８を閉鎖する。さらに、制御手段４２０は、第９開閉弁８１２を所定時間開放させて、溜水タンク８０５内の圧力を高める。
【０２００】
次いで、制御手段４２０は、第５開閉弁７１２を開放する。第５開閉弁７１２が開放されると、溜水タンク８０５内の水は、その内圧により、第５開閉弁７１２、水路拡大部４１８ｂ、第２開閉弁４１８ｄ、圧力導管４１８ａ、ゼット吐水ノズル４０９を通ってボール４０６内に排水される。これにより、尿等の汚物が流入する可能性があるこれらの経路を洗浄することができる。
【０２０１】
さらに、制御手段４２０は、第５開閉弁７１２を閉鎖し、第７開閉弁８０４及び第４開閉弁８０８を再び開放させて、溜水タンク８０５内に水を貯める。制御手段４２０は、溜水タンク８０５内に所定量の水が貯まった後、水路切替手段４１６からの給水を停止して待機状態に復帰する。
【０２０２】
本発明の第８実施形態による大便器ユニットによれば、尿量測定を開始するスタート水位が、溜水タンクの容量によって正確に設定されるので、高精度の尿量測定を行うことができる。
【０２０３】
また、本実施形態による大便器ユニットによれば、溜水タンク内の水が圧送手段によって急速にリム吐水ノズルから吐水されるので、スタート水位の設定に要する時間を短縮することができる。
【０２０４】
さらに、本実施形態による大便器ユニットによれば、圧力導管等の流水路を洗浄することができるので、大便器ユニットの作動の信頼性を向上させることができる。
【０２０５】
次に、本発明の第９実施形態による大便器ユニットを説明する。本発明の第９実施形態による大便器ユニットは、尿量測定を開始するボール内のスタート水位の設定機構が、第８実施形態の大便器ユニットとは異なる。従って、ここでは、本発明の第９実施形態による大便器ユニットの第８実施形態とは異なる点のみを説明し、同様の構成要素については同一の符号を付して説明を省略する。
【０２０６】
図４５は本発明の第９実施形態による大便器ユニットの断面図である。図４５に示すように、本発明の第９実施形態による大便器ユニット９００は、洋風大便器４０２と、大便器ユニット９００を作動させる種々の機能部を収納したキャビネット４０４（図２４参照）と、を有する。
【０２０７】
洋風大便器４０２は、ボール４０６と、洗浄水を吐水させるリム吐水ノズル４０７と、ボール４０６を水封するトラップ部４０８と、トラップ部４０８に向けて洗浄水を噴出するゼット吐水ノズル４０９と、を有する。
【０２０８】
また、キャビネット４０４には、市水から供給された洗浄水を吐出させる給水バルブである水路切替手段４１６と、ボール４０６底部の静水圧を測定する水位測定手段である圧力センサ４１８と、水路切替手段４１６を制御し、使用者の尿量を計算する尿量算出手段を内蔵した制御手段４２０が収納されている。また、制御手段を操作する信号を送る操作・表示部４２２が壁面に取り付けられている。
【０２０９】
トラップ部４０８の出口側端部は、排水ソケット４２４を介して下水管４２６に接続されている。
【０２１０】
リム吐水ノズル４０７は、ボール４０６の上部から、リムの接線方向に洗浄水を吐出させ、ボール４０６の壁面を洗浄するように構成されている。ゼット吐水ノズル４０９は、ボール４０６の底部からトラップ部４０８に向けて洗浄水を噴出させ、トラップ部４０８内にサイホン現象を誘発するように構成されている。
【０２１１】
圧力センサ４１８は、ゼット吐水ノズル４０９と連通した圧力導管４１８ａによって導かれた、ボール４０６底部の静水圧を測定するように構成されている。図４５に示すように、ゼット吐水ノズル４０９と連通した圧力導管４１８ａは、第１開閉弁４１８ｃを介して圧力センサ４１８に接続されている。さらに、第１開閉弁４１８ｃは、制御手段４２０によって、圧力センサ４１８による水位測定を行う際には開放され、水位測定を行わない時には閉鎖されるように構成されている。さらに、第１開閉弁４１８ｃと圧力センサ４１８の間の導管には、第１０開閉弁９１０を介して等圧手段であるシリコンオイルタンク９０８が接続されている。
【０２１２】
このシリコンオイルタンク９０８は、圧力センサ４１８よりも上方に配置され、シリコンオイルを保持している。シリコンオイルは水よりも比重が小さく、水と混ざり合わない性質を有するので、第１０開閉弁９１０とシリコンオイルタンク９０８の間の導管で水とシリコンオイルが直接接触しても、これらは常に分離した状態に保たれる。また、シリコンオイルは、揮発成分の少ないものを使用しているので蒸発等による減量が殆どないため、シリコンオイルタンク９０８中のシリコンオイルは長期間にわたって一定量を保ちつづける。このため、第１開閉弁４１８ｃを閉鎖し、第１０開閉弁９１０を開放した場合には、圧力センサ４１８には、シリコンオイル及び導管内の水の圧力ヘッドにより常に一定の圧力が作用することになる。本実施形態の大便器ユニットでは、この一定の圧力を利用して、圧力センサ４１８を較正している。
【０２１３】
制御手段４２０は、使用者の操作及び内蔵しているプログラムに従って、水路切替手段４１６を制御するように構成されている。また、制御手段は、尿量算出手段（図示せず）を内蔵しており、この尿量算出手段は、圧力センサ４１８によって測定された圧力に基づいて、ボール４０６内の水位を求め、使用者が排泄した尿量を計算するように構成されている。
【０２１４】
水路切替手段４１６は、制御手段の制御信号に従って、市水から供給された洗浄水を、リム吐水ノズル４０７及びゼット吐水ノズル４０９から交互に吐水させるように構成されている。また、水路切替手段４１６のリム吐水ノズル４０７側の流出口には第１三方弁９０２の第１の出入口９０２ａが接続されている。この第１三方弁９０２の第２の出入口９０２ｂは、リム吐水ノズル４０７に接続されている。また、給水弁である電磁弁９０４の流入口９０４ａが、第２の出入口９０２ｂとリム吐水ノズル４０７の間の水路に接続されている。即ち、電磁弁９０４の流入口９０４ａはボールに給水される水の供給源に接続されている。また、電磁弁９０４の流出口９０４ｂは、Ｕ字形に曲げられた給水トラップ９０６の一端に接続されている。この給水トラップ９０６の他端は、排水ソケット４２４を介して下水管に連通するように接続されている。一方、第１三方弁９０２の第３の出入口９０２ｃは、第５開閉弁７１２を介して圧力導管４１８ａに連通するように接続されている。
【０２１５】
さらに、図４５に示すように、下水管内の圧力変動をモニターするための下水管圧力センサ７２０が、第２三方弁７２２を介して、排水ソケット４２４に連通するように設けられている。この第２三方弁７２２の第１の出入口７２２ａと第２の出入口７２２ｂが連通されている場合には、下水管圧力センサ７２０は、第２三方弁７２２及び排水ソケット４２４を介して下水管内に連通し、下水管内の圧力を測定することができるように構成されている。本実施形態の大便器ユニット９００では、下水管圧力センサ７２０によって下水管内の圧力を測定し、この圧力に基づいて溜水量の測定値を補正している。また、第２三方弁７２２の第２の出入口７２２ｂと第３の出入口７２２ｃが連通されている場合には、下水管圧力センサ７２０は、第２三方弁７２２を介して大気に連通する。本実施形態の大便器ユニット９００では、大気圧を利用して下水管圧力センサ７２０を較正している。
【０２１６】
次に、図４６及び図４７を参照して、本発明の第９実施形態による大便器ユニット９００の作用を説明する。図４６は尿量測定を行う場合の大便器ユニット９００の作用を時系列で表すグラフであり、図４７は大便器ユニット９００を通常の大便器として使用する場合のグラフである。
【０２１７】
図４６に示すように、待機時においては、大便器ユニット９００のボール４０６内の溜水の水位は、図４５にＹで示すスタート水位になっており、また、操作・表示部４２２には「測定可」と表示されている。次に、大便器ユニット９００の使用者が、操作・表示部４２２の準備スイッチ（図示せず）を操作すると、操作・表示部４２２の表示は「準備中」になる。これと同時に、制御手段４２０は、圧力センサ４１８を作動させる。さらに、制御手段４２０は、第２三方弁７２２及び第１０開閉弁９１０に制御信号を送って、第２三方弁７２２を第２の出入口７２２ｂと第３の出入口７２２ｃが連通する状態にし、第１０開閉弁９１０を開放する。これにより、下水管圧力センサ７２０には大気圧が作用し、圧力センサ４１８にはシリコンオイル及び導管内の水の圧力ヘッドによる圧力が作用する。これらの常にほぼ一定に保たれた圧力を利用して、制御手段４２０は、下水管圧力センサ７２０及び圧力センサ４１８を較正する。
【０２１８】
所定時間経過すると、操作・表示部４２２の表示が「測定中」に変化し、使用者に排尿しても良いことを知らせる。これと同時に、制御手段４２０は、第１０開閉弁９１０を閉鎖し、第２三方弁７２２を第１の出入口７２２ａと第２の出入口７２２ｂが連通する状態にする。また、制御手段４２０は、第１開閉弁４１８ｃに制御信号を送り、これを開放させる。この第１０開閉弁９１０及び第１開閉弁４１８ｃの開閉の前後を通じて、等圧手段であるシリコンオイルタンク９０８内の液面に変化は生じない。表示が「測定中」に変化した後、使用者はボール４０６に排尿する。すると、図４６に示すように、ボール４０６内の水位は上昇し、水位Ｚとなる。
【０２１９】
使用者の排尿が終わり、圧力センサ４１８によって測定される水位が所定時間変化しなくなると、制御手段４２０は、排尿が終了したと判断し、尿量の計算を開始する。尿量の算出については、本発明の第４実施形態と同様であるので、説明を省略する。
【０２２０】
また、制御手段４２０は、排尿が終了したと判断すると、第１開閉弁４１８ｃを閉鎖させ、第５開閉弁７１２を開放させる。さらに、制御手段４２０は、圧力センサ４１８及び下水管圧力センサ７２０をＯＦＦにする。これと同時に、制御手段４２０は水路切替手段４１６に制御信号を送り、そのリム側流出口からの給水を開始する。水路切替手段４１６のリム側流出口から吐水された水は、第１三方弁９０２の第１の出入口９０２ａ、第３の出入口９０２ｃを経て、第５開閉弁７１２に達する。さらに、第５開閉弁７１２に達した水は、圧力導管４１８ａ、ゼット吐水ノズル４０９を通ってボール４０６内に吐水される。これにより、圧力導管４１８ａ及びゼット吐水ノズル４０９が洗浄される。
【０２２１】
尿量測定終了後、使用者が、操作・表示部４２２の便器洗浄スイッチ（図示せず）を操作すると、操作・表示部４２２の表示が「準備中」に変化する。これと同時に、制御手段４２０は、第５開閉弁７１２を閉鎖させ、電磁弁９０４を閉鎖させる。さらに、制御手段４２０は、第１三方弁９０２を、第１の出入口９０２ａと第２の出入口９０２ｂが連通するように切り替える。これにより、水路切替手段４１６のリム側流出口から吐水された水は、電磁弁９０４が閉鎖されているので、第１三方弁９０２を通ってリム吐水ノズル４０７から吐水される。このリム給水により、図４６に示すように、ボール４０６内の水位は溢流水位Ｈまで上昇する。
【０２２２】
所定時間リム給水を行った後、制御手段４２０は、水路切替手段４１６をゼット給水側に切り替え、ゼット吐水ノズル４０９から吐水させる。このゼット吐水によりサイホン現象が発生し、ボール４０６内の水が吸引され、ボール４０６内の溜水量はほぼゼロになる。
【０２２３】
所定時間ゼット吐水を行った後、制御手段４２０は、水路切替手段４１６をリム給水側に切り替え、再びリム給水を開始する。所定時間リム給水を行い、ボール４０６内の水位がスタート水位Ｙに達すると、制御手段４２０は、電磁弁９０４に制御信号を送り、電磁弁９０４を開放させる。また、電磁弁９０４は制御信号を受けると急速に開放されるので、所定時間のリム給水によって流入する水量は一定になり、精度良くスタート水位Ｙが設定される。即ち、電磁弁９０４が開放されると、第１三方弁９０２の第２の出入口９０２ｂから流出した水は、給水トラップ９０６側に流れ込み、排水ソケット４２４を通って下水管４２６に排水される。このように、電磁弁９０４を開放したときは、電磁弁９０４に流入した水が、給水トラップ９０６に流れ込んで下水管４２６に排出されるので、ボール４０６内への給水は急激に停止される。
【０２２４】
リム給水が終了すると、操作・表示部４２２の表示が「測定可」に戻り、大便器ユニット９００は、待機状態に戻る。
【０２２５】
次に、図４７を参照して、本発明の第９実施形態による大便器ユニット９００を通常の大便器として使用する場合の作用を説明する。
まず、大便器ユニット９００の待機状態において、使用者が、操作・表示部４２２の準備スイッチ（図示せず）を操作し、又はＩＤカードやタグなどの個人認証手段（図示せず）による認証操作を行うことなく、用便のため着座すると、操作・表示部４２２の表示は「準備中」になる。これと同時に、制御手段４２０は、水路切替手段４１６をリム給水側に切り替え、電磁弁９０４を閉鎖させ、さらに、第１三方弁９０２を、第１の出入口９０２ａと第２の出入口９０２ｂが連通するように切り替える。これにより、リム給水が行われ、ボール４０６内の水位は、溢流水位Ｈまで上昇する。
【０２２６】
所定時間後、制御手段４２０は、リム給水を停止させ、操作・表示部４２２の表示を「排便可」に変化させる。排便後、使用者が、操作・表示部４２２の便器洗浄スイッチ（図示せず）を操作すると、操作・表示部４２２の表示が「準備中」に変化し、便器洗浄作用が開始される。便器洗浄作用は、上述した尿量測定時の作用と同様であるので、説明を省略する。
【０２２７】
本発明の第９実施形態の大便器ユニットによれば、給水弁である電磁弁によりリム給水を急激に停止させることができるので、尿量測定のスタート水位Ｙを精度良く設定することができる。
【０２２８】
また、上述した本発明の第９実施形態の大便器ユニットにおいては、所定時間リム給水を行った後、電磁弁を開放することによってスタート水位Ｙを設定しているが、変形例として、リム給水時に圧力センサを作動させておき、圧力センサがスタート水位Ｙを検出した瞬間に電磁弁を開放させるように構成することもできる。この構成によれば、リム給水の流量が一定でない場合にも精度良くスタート水位Ｙを設定することができる。
【０２２９】
さらに、上述した本発明の第９実施形態の大便器ユニットにおいては、所定時間のリム給水のみによってスタート水位Ｙを設定しているが、変形例として、さらに補助給水手段（図示せず）を使用してスタート水位Ｙを微調整するように構成することもできる。この変形例においては、リム給水によって大まかなスタート水位Ｙを設定しておき、その後、補助給水手段（図示せず）によって圧力センサで水位を測定しながらボール内に給水を行って、スタート水位Ｙを微調整する。局部洗浄装置付（図示せず）の大便器ユニットにおいては、補助給水手段（図示せず）として、局部洗浄装置のノズルのセルフクリーン動作時等にボール内に排出される水を利用することができる。
【０２３０】
また、本発明の大便器ユニットを、以下のように構成することもできる。
本発明の大便器ユニットは、使用者の尿を受けるボールと、このボールに連通し且つボール内の溜水を下水管に排出し、この下水管を水封するトラップ部と、ボール内の溜水の水位を、トラップ部の溢流水位よりも低い所定の水位まで低下させる溜水排出手段と、この溜水排出手段によって低下された溜水の水位と使用者が排尿を終えた後のボール内の水位の変化を測定する水位測定手段と、この水位測定手段によって測定された水位変化測定値から、使用者がボールに排泄した尿量を算出する尿量算出手段と、ボール内に水を流入させ、ボール内の溜水の水位を溢流水位に復水させる水補給手段と、を有することを特徴としている。
【０２３１】
このように構成された本発明においては、溜水排出手段が、溜水を保持しているボールから溜水を排出し、ボール内の溜水水位を低下させる。次いで、使用者は、溜水水位が低下したボールに排尿を行う。このとき、ボール内の溜水水位は、予め溢流水位よりも低下されているので、使用者の排尿によって、溜水又は尿がトラップ部を通って流出することがない。水位測定手段は、溜水排出手段によって低下された排尿前の水位と、使用者が排尿した後の水位を測定する。尿量算出手段は、使用者の排尿前後のボール内の水位に基づいて、使用者の尿量を測定する。測定後、水補給手段は、ボール内に水を流入させ、ボール内の溜水の水位を溢流水位に復水させて、下水管を確実に水封する。
【０２３２】
このように構成された本発明によれば、従来の水洗大便器の構造に大きな変更を加えることなく、尿量測定を行うことができる。また、このように構成された本発明によれば、溜水排出手段によって排出される溜水には尿が混入していないので、尿が接触することによる故障が発生しにくく、大便器ユニットの信頼性を高めることができる。
【０２３３】
本発明において、好ましくは、溜水排出手段は、トラップ部の所定の水位の高さに設けられた排水口と下水とを連通させる排水路と、この排水路に設けられた排水弁と、を有する。
【０２３４】
このように構成された本発明においては、ボール内の溜水は、排水弁を開放すると、溜水の水位が排水口の高さになるまで排水路を通って下水に排水される。
【０２３５】
このように構成された本発明によれば、排水口を形成する高さによって、尿量測定を開始する前の溜水の水位を正確に設定することができるので、尿量測定精度を高くすることができる。
【０２３６】
本発明において、好ましくは、溜水排出手段は、トラップ部の中に水を流入させ、トラップ部内にサイホン現象を発生させてボール内の水を排出するサイホン現象発生手段である。
【０２３７】
このように構成された本発明においては、ボール内の溜水は、サイホン現象発生手段によって引き起こされるサイホン現象によって、トラップ部から排出される。
このように構成された本発明によれば、従来の水洗大便器に備えられているゼット吐水ノズル等を、溜水排出手段と兼用にすることも可能になると共に、大便器ユニットの信頼性を高めることもできる。
【０２３８】
本発明において、好ましくは、溜水排出手段は、使用者の操作によって又は大便器ユニットの使用者を自動的に検知することによって作動される。
【０２３９】
このように構成された本発明においては、使用者の操作又は使用者自動検知により溜水排出手段が作動され、ボール内の水位が所定の水位に低下される。
【０２４０】
本発明において、好ましくは、溜水排出手段は、１回の尿量測定が完了すると、次回の尿量測定のために自動的に作動される。
【０２４１】
このように構成された、本発明においては、１回の尿量測定が完了した後、溜水排出手段が次回の尿量測定のために自動的に作動され、ボール内の水位が所定の水位に低下される。
【０２４２】
このように構成された本発明によれば、大便器ユニットの使用者が尿量測定開始前に排尿を我慢しなければならない時間を短縮することができる。
【０２４３】
本発明において、好ましくは、さらに、下水管から逆流した臭気を脱臭する脱臭手段を有し、溜水排出手段が、ボール内の溜水の水位をトラップ部の封水水位よりも低い所定の水位まで低下させる。
【０２４４】
このように構成された本発明においては、溜水排出手段は、ボール内の溜水の水位を、トラップ部が封水されない水位まで低下させ、これにより下水管から逆流した臭気を脱臭手段が脱臭する。
【０２４５】
このように構成された本発明によれば、測定可能な最大の尿量を大きくすることができる。加えて、断面積の小さいボール下部を使用して尿量測定をすることになり、特に少量の排尿時には単位排尿量当たりの溜水水位変化が大きくなるため、測定精度が向上する。
【０２４６】
本発明において、好ましくは、脱臭手段は、ボール内の空気を吸引する吸引装置、下水管の中に空気を送風する送風装置、又は下水管の中に水を流入させる送水装置である。
【０２４７】
このように構成された本発明によれば、大便器ユニットの性能に影響を与え、又は、使い勝手を低下させることがない。
【０２４８】
本発明において、好ましくは、さらに、少なくとも溜水排出手段が水の排出を開始した後、水補給手段がボールに水を流入させて溢流水位に水位を復水させるまでの間、使用者に対してボールに尿以外の投入を禁じる旨を表示する報知手段を有する。
【０２４９】
このように構成された本発明によれば、尿量測定時の留意事項を使用者に報知することができるので、尿量測定を行う機能部に排泄物が侵入して動作不良を起こすことがない。さらに、トイレットペーパー等の尿以外のものが誤って溜水の中に投入されることによる測定誤差の発生を未然に防止することができる。
【０２５０】
本発明において、好ましくは、さらに、水位測定手段によって測定される水位の単位時間当りの変化に基づいて尿流率を算出する尿流率算出手段を有する。
【０２５１】
このように構成された本発明によれば、平常通りトイレで排尿するだけで前立腺肥大をはじめとする泌尿器系疾患の指標である尿流率を測定することができる。また、トイレというパーソナル空間で測定が実施可能であることから、羞恥心無く繰返し測定が実施できるため、継続的な治療効果の確認などで信頼性の高い管理を行うことができる。また、尿意を感じた時に直ちに測定が行えるため、日常活動状態でのデータを得ることができる。
【０２５２】
本発明において、好ましくは、さらに、水位測定手段によって測定される水位の単位時間当りの変化に基づいて排尿時間を算出する排尿時間算出手段を有する。
【０２５３】
このように構成された本発明によれば、平常通りトイレで排尿するだけで前立腺肥大をはじめとする泌尿器系疾患の指標である排尿時間を測定することができる。また、トイレというパーソナル空間で測定が実施可能であることから、羞恥心無く繰返し測定が実施できるため、継続的な治療効果の確認などで信頼性の高い管理を行うことができる。
【０２５４】
本発明において、好ましくは、さらに、水位測定手段によって測定される経時的な水位変化波形に基づいて使用者による大便の排泄を検知する大便排泄検知手段を有し、この大便排泄検知手段は、水位変化波形に含まれる周波数成分および／または水位変化波形の振幅変化挙動に基づいて大便の排泄を検知する。
【０２５５】
このように構成された本発明によれば、尿量測定に対する誤差となる大便の排泄を検知することができ、また、これを表示することによって、測定データに誤差が存在する可能性を使用者、および／または医療関係者に知らせ注意を喚起することができるため、医学的判断において誤りの発生防止を図ることができる。
【０２５６】
本発明において、好ましくは、尿量算出手段は、大便排泄検知手段が大便の排泄を検知した場合、大便排泄による溜水水位の変化量を推定し、この推定した変化量に基づいて算出した尿量を補正する。
【０２５７】
このように構成された本発明によれば、尿量測定中に大便を誤って排泄した場合でも、大便量を含んだ尿量を測定値として出力することがない。また、大便排泄によって測定機会を失うことが少なくなるため、データの欠落なく長期間の継続的測定が可能になる。
【０２５８】
本発明において、好ましくは、水補給手段は、溜水排出手段によってボール内の溜水の水位が低下された状態が所定時間以上継続した場合、測定を中断し、ボール内に水を流入させて溜水の水位を溢流水位まで上昇させる。
【０２５９】
このように構成された本発明によれば、尿量測定を途中で中止したような場合においても、溜水の水位を溢流水位に復帰させるので、以降の便器装置としての使い勝手に影響を与えたり、下水管からの臭気の逆流を防止するために脱臭手段作動を永続的に実施する必要がない。
【０２６０】
本発明において、好ましくは、さらに、使用者が排泄した尿の一部を直接採取する尿検体採取装置を有し、尿量算出手段は、ボール内に排泄された尿の量と尿検体採取装置に採取された尿の量を加算することによって、排泄された尿量を算出する。
【０２６１】
このように構成された本発明によれば、一回の排尿について、排尿状態に関する測定と、尿に含まれる特定成分の定量および／または定性測定の両方を実施することができる。
【０２６２】
また、本発明の大便器ユニットは、使用者の尿を受けるボールと、このボールに連通し且つボール内の溜水を下水管に排出し、この下水管を水封するトラップ部と、ボール内の溜水の水位を測定する水位測定手段と、ボール内に水を給水する給水バルブと、使用者の尿量測定を開始する前のボール内の溜水の水位が、トラップ部の溢流水位よりも低く、封水水位よりも高い所定の水位になるように、給水バルブを制御する制御手段と、所定の水位と、水位測定手段によって測定された使用者が排尿を終えた後のボール内の水位に基づいて、使用者がボールに排泄した尿量を算出する尿量算出手段と、を有することを特徴としている。
【０２６３】
このように構成された本発明においては、制御手段によって制御された給水バルブが、ボール内の溜水の水位が、トラップ部の溢流水位よりも低く、封水水位よりも高い所定の水位になるように給水する。次いで、使用者は、溜水水位が低下したボールに排尿を行う。このとき、ボール内の溜水水位は、溢流水位より低いので、使用者の排尿によって、溜水又は尿がトラップ部を通って流出することがない。水位測定手段は、使用者の排尿前の水位と、排尿後の水位を測定する。尿量算出手段は、排尿前後のボール内の水位に基づいて、使用者の尿量を測定する。
【０２６４】
このように構成された本発明によれば、電解物質である塩化ナトリウムなどを多量に含む尿がボール内にある状態で尿量測定を行うことができるので、尿量測定を行う各構成部の動作に弊害を与えることがない。また、ボール内の溜水の水位が、予め所定の水位に設定されているので、測定準備のために溜水を排出する必要がなく、これにより１回当りの測定単価が安価になり、かつ、測定準備に要する時間が短いので排尿を長時間我慢する必要がない。
【０２６５】
本発明において、好ましくは、水位測定手段が、ボール内の溜水の水圧を測定する圧力センサである。
【０２６６】
このように構成された本発明によれば、尿がボール内にある状態で尿量測定を行うことができるので、尿量測定を行う各構成部の動作に弊害を与えることがなく、動作の信頼性を高めることができる。
【０２６７】
本発明において、好ましくは、制御手段が、ボールの洗浄作用を終えた後、水位測定手段によって測定されたボール内の溜水の水位に基づいて給水バルブを制御して、次回の尿量測定のためにボール内の溜水を所定の水位に復帰させる。
【０２６８】
このように構成された本発明においては、給水バルブは、水位測定手段によって測定されたボール内の溜水の水位に基づいて、ボール内の溜水が所定の水位になるように給水を行う。
【０２６９】
このように構成された本発明によれば、尿量測定を開始する溜水の所定の水位を精度良く設定することができるので、より高精度に尿量測定を行うことができる。
【０２７０】
また、本発明の大便器ユニットは、使用者の尿を受けるボールと、このボールに連通し且つボール内の溜水を下水管に排出し、この下水管を水封するトラップ部と、ボール内の溜水の水位を測定する水位測定手段と、水位測定手段によって測定された水位に基づいて、使用者が排泄した尿量又は尿流率を算出する尿量算出手段と、ボール内に所定量の水を投入し、又は、ボール内から所定量の水を排出する定量水投入／排出手段と、定量水投入／排出手段によって水が投入され又は排出された際の水位の変化に基づいて、尿量算出手段による計算値を補正する補正手段と、を有することを特徴としている。
【０２７１】
このように構成された本発明においては、定量水投入／排出手段がボール内に所定量の水を投入し、又は、ボール内から所定量の水を排出し、そのときのボール内の水位の変化が記憶される。次いで、水位測定手段は、使用者が排尿した後の溜水水位を測定し、尿量算出手段は、使用者の排尿前後のボール内の水位に基づいて、使用者の尿量を計算する。補正手段は、予め記憶されている定量水投入／排出前後の水位の変化に基づいて、尿量算出手段によって計算された使用者の尿量を補正する。
【０２７２】
このように構成された本発明によれば、ボール内に所定量の水を投入し、又は、排出したときの水位変化に基づいて、尿量算出手段による尿量の計算値を補正するので、尿量測定前のボール内の水位が正確に設定されておらず、又は、水位測定手段の測定値に誤差がある場合においても、精度良く尿量測定を行うことができる。
【０２７３】
本発明において、好ましくは、補正手段は、ボール内の溜水の量とボール内の溜水の水位との関係を表す水位変化曲線を記憶しており、補正手段は、水位測定手段によって測定された水投入／排出手段が所定量の水を投入する前の第１水位と所定量の水を投入した後の第２水位との差、及び水位変化曲線に基づいて、使用者が排尿する前のボール内の溜水の水位を求め、この水位に基づいて尿量算出手段による計算値を補正する。
【０２７４】
このように構成された本発明においては、補正手段は、ボール内の溜水の量とボール内の溜水の水位との関係を表す水位変化曲線を予め記憶している。この補正手段は、水投入／排出手段が所定量の水を投入する前後の水位の差と、予め記憶している水位変化曲線に基づいて、使用者が排尿する前の溜水の水位を求める。
【０２７５】
このように構成された本発明によれば、水位測定手段によって測定された水位の差に基づいて溜水の水位を求めているので、水位測定手段の測定値にオフセット誤差等が含まれている場合でも、精度良く尿量測定を行うことができる。
【０２７６】
本発明において、好ましくは、補正手段は、ボール内の溜水の量とボール内の溜水の水位との関係を表す水位変化曲線を記憶しており、補正手段は、水位測定手段によって測定された水投入／排出手段が所定量の水を排出する前の溢流水位と所定量の水を排出した後の第２水位との差、及び水位変化曲線に基づいて使用者が排尿する前のボール内の溜水の水位を求め、この水位に基づいて尿量算出手段による計算値を補正する。
【０２７７】
このように構成された本発明においては、補正手段は、ボール内の溜水の量とボール内の溜水の水位との関係を表す水位変化曲線を予め記憶している。この補正手段は、溢流水位と水投入／排出手段が所定量の水を排出した後の水位の差と、予め記憶している水位変化曲線に基づいて、使用者が排尿する前の溜水の水位を求める。
【０２７８】
このように構成された本発明によれば、水位測定手段によって測定された水位の差に基づいて溜水の水位を求めているので、水位測定手段の測定値にオフセット誤差等が含まれている場合でも、精度良く尿量測定を行うことができる。
【０２７９】
また、本発明の大便器ユニットは、使用者の尿を受けるボールと、このボールに連通し且つボール内の溜水を下水管に排出し、この下水管を水封するトラップ部と、ボール又はトラップ部の溢流水位よりも低い位置に設けられた排水入口から、この排水入口よりも高く溢流水位よりも低い所定の高さに開口した排水出口まで延びる排水導管と、この排水導管の排水入口と排水出口を連通させ又は遮断させる水位設定弁と、この水位設定弁を開放することにより所定の高さにされたボール内の溜水の水位と、水位設定弁を閉鎖し使用者が排尿を終えた後のボール内の水位の変化を測定する水位測定手段と、この水位測定手段によって測定された水位変化測定値から、使用者がボールに排泄した尿量を算出する尿量算出手段と、を有することを特徴としている。
【０２８０】
このように構成された本発明においては、水位設定弁を開放することにより、ボール内の溜水は、排水入口から排水導管を通って排水出口へ排水される。これにより、ボール内の溜水の水位は、排水出口が開口した所定の高さになるまで低下する。水位設定弁が閉鎖された後、使用者は、溜水水位が低下したボールに排尿を行う。このとき、ボール内の溜水水位は、予め溢流水位よりも低下されているので、使用者の排尿によって、溜水又は尿がトラップ部を通って流出することがない。水位測定手段は、水位設定弁によって設定された排尿前の水位と、使用者が排尿した後の水位を測定する。尿量算出手段は、使用者の排尿前後のボール内の水位に基づいて、使用者の尿量を測定する。
【０２８１】
このように構成された本発明によれば、溜水の水位が、排水出口が開口している高さによって設定されるため、尿量測定開始前の水位を正確に設定することができ、これにより、精度良く尿量測定を行うことができる。
【０２８２】
本発明おいて、好ましくは、さらに、トラップ部の中に水を流入させ、トラップ部内にサイホン現象を発生させてボール内の水を排出するサイホン現象発生手段を有し、サイホン現象発生手段によりボール内の溜水の水位を低下させた後、水位設定弁を開放してボール内の溜水の水位を所定の高さにする。
【０２８３】
このように構成された本発明においては、サイホン現象発生手段によりボール内の溜水の水位をある程度低下させた後、水位設定弁を開放して溜水の水位を所定の高さに正確に設定するので、水位設定に要する時間を短縮することができる。
【０２８４】
本発明において、好ましくは、さらに、ボール内に水を流入させ、ボール内の溜水の水位を上昇させる水補給手段を有し、サイホン現象発生手段によってボール内の溜水の水位を低下させた後、水補給手段によってボールに水を流入させると共に、水位設定弁を開放してボール内の溜水の水位を所定の高さにする。
【０２８５】
このように構成された本発明においては、サイホン現象発生手段によりボール内の溜水の水位を低下させた後、水補給手段によってボールに水を流入させると共に、水位設定弁を開放して溜水の水位を所定の高さに正確に設定するので、水位設定に要する時間を短縮することができる。
【０２８６】
本発明において、好ましくは、水位測定手段は、ボールに連通した圧力導管と、この圧力導管に接続された圧力センサとを有し、排水導管の一部又は全部が、圧力導管と兼用にされ、ボール内の水が圧力導管を通って排水される。
【０２８７】
このように構成された本発明においては、ボール内の水位は、圧力導管によって伝達されるボール内の水圧を、圧力センサで測定することによって求められる。この圧力導管は、排水導管の一部又は全部と兼用にされる。
【０２８８】
このように構成された本発明によれば、単純な構造により排水導管を構成することができる。
【０２８９】
本発明において、好ましくは、尿量算出手段は、ボール内の溜水の水位が所定の高さであるとき、又は溢流水位であるとき、水位測定手段の較正を行う。
【０２９０】
このように構成された本発明においては、大便器ユニットの構造により正確に再現性高く設定される溢流水位又は所定の高さの水位を利用して水位測定手段の較正を行うので、精度良く尿量測定を行うことができる。
【０２９１】
また、本発明の大便器ユニットは、使用者の尿を受けるボールと、このボールに連通し且つボール内の溜水を下水管に排出し、この下水管を水封するトラップ部と、ボール内の溜水を排出する溜水排出手段と、この溜水排出手段によって溜水が排出されたボールに流入させる所定量の水を貯める溜水タンクと、この溜水タンクから所定量の水が流入された後のボール内の溜水の水位と使用者が排尿を終えた後のボール内の水位の変化を測定する水位測定手段と、この水位測定手段によって測定された水位変化測定値から、使用者がボールに排泄した尿量を算出する尿量算出手段と、を有することを特徴としている。
【０２９２】
このように構成された本発明においては、まず、溜水排出手段によって溜水量が概ねゼロになるようにボール内の溜水を排出し、次いで、所定量の水を貯めた溜水タンクからボール内に水を流入させることによって、尿量測定前のボール内の水位を設定する。次いで、使用者は、溜水水位を設定したボールに排尿を行う。水位測定手段は、設定された排尿前の水位と、使用者が排尿した後の水位を測定する。尿量算出手段は、使用者の排尿前後のボール内の水位に基づいて、使用者の尿量を測定する。
【０２９３】
このように構成された本発明によれば、溜水タンク貯めた水の量によって尿量測定前のボール内の水位を設定するので、水位を正確に設定することができる。これにより、精度良く尿量測定を行うことができる。
【０２９４】
本発明において、好ましくは、溜水排出手段は、トラップ部の中に水を流入させ、トラップ部内にサイホン現象を発生させてボール内の水を排出するサイホン現象発生手段である。
【０２９５】
このように構成された本発明によれば、ゼット吐水ノズルを溜水排出手段として利用することができるので、単純な構造により溜水排出手段を構成することができる。
【０２９６】
本発明において、好ましくは、さらに、溜水タンク内の水をボール内に圧送する圧送手段を有する。
【０２９７】
このように構成された本発明によれば、溜水タンク内の水を急速にボール内に流入させることができるので、尿量測定前の準備に要する時間を短縮することができる。
【０２９８】
本発明において、好ましくは、さらに、溜水タンクに水を供給する溜水タンク給水手段を有し、この溜水タンク給水手段は、溜水タンクから水が溢れるように溜水タンクに水を供給することによって、溜水タンクに貯める水の量を規定する。
【０２９９】
このように構成された本発明によれば、溜水タンクに貯められる水の量が、溜水タンクの構造によって正確に決定されるので、尿量測定前のボール内の水位を正確に設定することができる。
【０３００】
本発明において、好ましくは、さらに、下水管内の圧力を測定する下水管圧力センサと、この下水管圧力センサが所定値以上の圧力変動を検出するとボール内に水を流入させてボール内の溜水水位を上昇させる水補給手段と、を有する。
【０３０１】
このように構成された本発明によれば、ボール内の水位を溢流水位よりも低い水位にして待機状態とする大便器ユニットにおいても、下水管内の圧力変動によって、破封されることがない。
【０３０２】
また、本発明の大便器ユニットは、使用者の尿を受けるボールと、このボールに連通し且つボール内の溜水を下水管に排出し、この下水管を水封するトラップ部と、ボール内の溜水の水位を測定する水位測定手段と、ボールに水を給水する給水口に接続された流出口、及びボールに給水される水の供給源に接続された流入口を備え、これら流出口と流入口の間を連通又は遮断する給水弁と、一端が流入口に接続され、他端が下水管に連通するように接続され、給水弁が連通状態にあるときは一端と他端との間を遮断し、給水弁が遮断されたときは供給源から供給された水を下水管に逃がす給水トラップ管と、ボール内の溜水の水位が所定の水位となるように給水弁を制御する制御手段と、所定の水位と、水位測定手段によって測定された使用者が排尿を終えた後のボール内の水位に基づいて、使用者がボールに排泄した尿量を算出する尿量算出手段と、を有することを特徴としている。
【０３０３】
このように構成された本発明においては、供給源から供給された水は給水弁を通ってボール内に供給され、制御手段は、ボール内の溜水の水位が所定の水位になったとき給水弁が遮断される。給水弁が遮断されたとき、供給源から供給された水は、給水トラップ管を通って下水管に排出される。使用者は、所定の溜水水位に設定されたボールに排尿を行う。水位測定手段は、設定された排尿前の所定の水位と、使用者が排尿した後の水位を測定する。尿量算出手段は、使用者の排尿前後のボール内の水位に基づいて、使用者の尿量を測定する。
【０３０４】
このように構成された本発明によれば、給水弁として急速に遮断することができる弁を使用することにより、ボール内の溜水の水位を正確に設定することができる。また、給水弁を急速に遮断した場合にも、供給源から供給された水は、給水トラップ管を通って下水管に排出されるので、ウォーターハンマー現象等が発生することがない。
【０３０５】
本発明において、好ましくは、制御手段が、水位測定手段によって測定されたボール内の水位に基づいて給水弁を制御する。
【０３０６】
このように構成された本発明によれば、水位測定手段によって測定された水位に基づいて給水弁が制御されるので、溜水水位の設定精度をより向上させることができる。
【０３０７】
本発明において、好ましくは、さらに、衛生洗浄装置を有し、制御手段が、給水弁を遮断した後、衛生洗浄装置からボール内に排出される水を利用してボール内の水位を調整する。
【０３０８】
このように構成された本発明においては、給水弁による給水が終了した後、衛生洗浄装置からボール内に排出される水を利用して、ボール内の水位を微調整するので、溜水水位の設定精度をより向上させることができる。
【０３０９】
本発明において、好ましくは、さらに、圧力ヘッドが常に一定に保持された等圧手段を有し、水位測定手段はボール内の溜水の水圧を測定する圧力センサであり、この圧力センサと等圧手段を連通させることにより、圧力センサを較正する。
【０３１０】
このように構成された本発明においては、圧力ヘッドが常に一定に保持された等圧手段の圧力を、圧力センサに作用させることによって、圧力センサを較正するので、尿量の測定精度をより向上させることができる。
【図面の簡単な説明】
【０３１１】
【図１】本発明の第１実施形態による大便器ユニット示す斜視図である。
【図２】本発明の第１実施形態による大便器ユニットにおける溜水排出手段の一例を示す断面図である。
【図３】本発明の第１実施形態による大便器ユニットに使用することができる溜水排出手段の変形例を示す断面図である。
【図４】本発明の第１実施形態による大便器ユニットにおける尿量推定を説明する断面図である。
【図５】本発明の第１実施形態による大便器ユニットのシステムブロック図である。
【図６】本発明の第１実施形態による大便器ユニットの動作シーケンスを示す図である。
【図７】本発明の第１実施形態による大便器ユニットの動作フローを示す図である。
【図８】使用者の排尿中における溜水の水位変化の一例を示すグラフである。
【図９】本発明の第１実施形態の大便器ユニットに使用される尿の特定成分濃度を測定する尿検体採取装置を示す斜視図である。
【図１０】本発明の第１実施形態の大便器ユニットに使用される生体情報測定装置の他の一例を示す斜視図である。
【図１１】特定成分濃度の測定の数学的モデル図である。
【図１２】本発明の第１実施形態による大便器ユニットで測定された尿量と尿流率の時間あたりの変化を示すグラフである。
【図１３】本発明の第１実施形態による大便器ユニットにおいて、測定を途中で中止した場合の動作シーケンス図である。
【図１４】本発明の第１実施形態による大便器ユニットの別の動作シーケンスを示す図である。
【図１５】本発明の第１実施形態による大便器ユニットの脱臭手段である脱臭装置、送風装置及び送水装置を示す断面図である。
【図１６】本発明の第１実施形態による大便器ユニットに使用される尿採取システムの一例を示す模式図である。
【図１７】本発明の第１実施形態による大便器ユニットに使用される尿採取システムの第二の例を示す模式図である。
【図１８】本発明の第２実施形態による尿量測定機能を備えた大便器ユニットを示す斜視図である。
【図１９】本発明の第２実施形態による尿量測定機能付を備えた大便器ユニットの断面図である。
【図２０】本発明の第２実施形態による大便器ユニットに使用されている通気弁の動作原理を示す断面図である。
【図２１】本発明の第２実施形態による尿量測定機能を備えた大便器ユニットを示すブロック図である。
【図２２】本発明の第２実施形態による大便器ユニットの給水系を示すシステムブロック図である。
【図２３】本発明の第２実施形態による尿量測定機能付き大便器の動作シーケンス図である。
【図２４】本発明の第３実施形態による大便器ユニット全体を示す斜視図である。
【図２５】本発明の第３実施形態による大便器ユニットを示す側面断面図である。
【図２６】本発明の第３実施形態による大便器ユニットの圧力センサ部分の詳細を示す断面図である。
【図２７】本発明の第３実施形態による大便器ユニットの作用を時系列で表すグラフである。
【図２８】本発明の第３実施形態による大便器ユニットの各部分の関係を表すブロック図である。
【図２９】ボール内の溜水量Ｑと水位ｈの関係の一例を示す検量線のグラフである。
【図３０】本発明の第３実施形態による大便器ユニットにおいて、水位を計算する原理を説明するグラフである。
【図３１】本発明の第４実施形態による大便器ユニットの断面図である。
【図３２】本発明の第４実施形態による大便器ユニットのスタート水位の設定機構部分の拡大断面図である。
【図３３】本発明の第４実施形態による大便器ユニットの各部の関係を示すブロック図である。
【図３４】本発明の第４実施形態による大便器ユニットの作用を時系列で表すグラフである。
【図３５】本発明の第５実施形態による大便器ユニットの断面図である。
【図３６】本発明の第５実施形態による大便器ユニットの作用を時系列で表すグラフである。
【図３７】本発明の第６実施形態による大便器ユニットの断面図である。
【図３８】本発明の第６実施形態による大便器ユニットの作用を時系列で表すグラフである。
【図３９】本発明の第７実施形態による大便器ユニットの断面図である。
【図４０】本発明の第７実施形態による大便器ユニットのスタート水位の設定に使用される溜水タンクの断面図である。
【図４１】本発明の第７実施形態による大便器ユニットの作用を時系列で表すグラフである。
【図４２】本発明の第８実施形態による大便器ユニットの断面図である。
【図４３】本発明の第８実施形態による大便器ユニットのスタート水位の設定に使用される溜水タンクの断面図である。
【図４４】本発明の第８実施形態による大便器ユニットの作用を時系列で表すグラフである。
【図４５】本発明の第９実施形態による大便器ユニットの断面図である。
【図４６】本発明の第９実施形態による大便器ユニットで尿量測定を行う場合の作用を時系列で表すグラフである。
【図４７】本発明の第９実施形態による大便器ユニットを通常の大便器として使用する場合の作用を示すグラフである。
【符号の説明】
【０３１２】
Ａ…尿採取位置
Ｂ…便器洗浄逃げ位置
Ｃ…採尿器洗浄および収納位置
Ｈ…溢流水位
Ｙ…測定前水位
Ｚ…排尿後水位
１…本発明の第１実施形態による大便器ユニット
２…機能ケース
３…水路切替手段（水路切替バルブ）
４…膀胱
５…採尿部（尿検体採取装置）
６…溜水測定部
１１…洋風大便器
１２…ボール
１３…溜水
１４…リム
１５…トラップ部
１６…排水接続管
１７…尿
２１…ＩＤカード
２２…操作・表示部
２３…便座
２４…便ふた
３１…ゼット吐水ノズル（サイホン現象発生手段）
３２…リム吐水ノズル（水補給手段）
３３…排水口
３４…排水路（溜水排出手段）
３５…排水弁（開閉弁）
４１…溢流水位
４２…所定水位
４３…封水切れ水位
４４…圧力センサー（水位測定手段）
４５…導圧路
４６…圧力センサー（水位測定手段）
５１…リムカバー
５２…採尿器
５３…採尿アーム
５４…備蓄容器
５５…脱臭装置（吸引装置）
５６…送風装置
５７…送水装置
５８…逆止弁
６１…ケース
６２…採水部
２０１…本発明の第２実施形態による大便器ユニット
２０２…機能ケース
２０３…給水バルブ
２０４…尿
２０５…機構ユニットキャビネット
２１１…洋風大便器
２１２…ボール
２１３…溜水
２１４…リム面
２１５…トラップ部
２１６…排水接続管
２１６ａ…水合流部
２１６ｂ…吸気管
２１６ｃ…通気弁
２１７…圧抜き穴
２２１…便座
２２２…便ふた
２３１…ゼット吐水ノズル
２３２…リム吐水ノズル
２３３…分岐口
２３４…分岐路
２３５…三方弁
２４２…導圧路
２４２ａ…拡大管
２４２ｂ…空気抜き栓
２４２ｃ…開閉弁
２４３…圧力センサ（溜水量測定手段）
２５０…採尿ユニット
２５１…採尿器
２５２…採尿アーム
２６０…電解槽
２６１…ケース
２６２…ふた
２６３，２６４…電極
２６５…スペーサー
２６６…入水口
２６７…出水口
３０１…止水栓
３０２…分岐金具
３０３…開閉弁
３０４…タンク
３０５…取水ユニット
３０６…ポンプ
３０７…開閉弁
３０８…オーバーフロー管
３６１…弁体
３６２…圧力室
３６３…本体
３６４…ガイド
４０１…本発明の第３実施形態による大便器ユニット
４０２…洋風大便器
４０４…キャビネット
４０６…ボール
４０６ａ…リム面
４０７…リム吐水ノズル
４０８…トラップ部
４０８ａ…頂部
４０８ｂ…トラップ部入口
４０９…ゼット吐水ノズル
４１０…便座
４１２…便ふた
４１４…採尿装置
４１４ａ…採尿器
４１４ｂ…採尿アーム
４１４ｃ…採尿ユニット
４１４ｄ…尿成分測定部
４１６…水路切替手段
４１８…圧力センサ
４１８ａ…圧力導管
４１８ｂ…水路拡大部
４１８ｃ…開閉弁
４２０…制御手段
４２２…操作・表示部
４２４…排水ソケット
４２６…下水管
４２８…尿量算出手段
４３０…補正手段
４３２…衛生洗浄装置リモコン
４３４…尿成分測定部リモコン
４３６…プリンター
４３８…通気弁
４４０…下水管圧力センサ
５０１…本発明の第４実施形態による大便器ユニット
５０２…鉛直導管
５０４…電磁弁
５０５…排水出口
５０６…戻り管
５０６ａ…排水受け部
５０６ｂ…トラップ部
５０８…三方弁
５１０…下水管圧力センサ
５５０…本発明の第５実施形態による大便器ユニット
５５２…第１三方弁
５５２ａ…出入口
５５２ｂ…出入口
５５２ｃ…排水出口
５５４…水柱
５５６…戻り管
５５８…第２三方弁
５５８ａ…出入口
５５８ｂ…出入口
５５８ｃ…出入口
５６０…第３三方弁
５６０ａ…出入口
５６０ｂ…出入口
５６０ｃ…出入口
６００…本発明の第６実施形態による大便器ユニット
６０２…第２三方弁
６０２ａ…出入口
６０２ｂ…出入口
６０２ｃ…出入口
６０４…洗浄用タンク
６０４ａ…流入管
６０４ｂ…流出管
６０６…ポンプ
６０６ａ…流出管
６０８…ロータリー弁
６０８ａ…出入口
６０８ｂ…出入口
６０８ｃ…出入口
６１０…水柱
７００…大便器ユニット
７０２…第１三方弁
７０２ａ…出入口
７０２ｂ…出入口
７０２ｃ…出入口
７０４…溜水タンク
７０４ａ…流出管
７０６…洗浄用タンク
７０６ａ…流出管
７０６ｂ…フロートスイッチ
７０６ｃ…オーバーフロー管
７０８…ポンプ
７１０…第３開閉弁
７１２…第５開閉弁
７１４…第４開閉弁
７１６…通気弁
７１８…第６開閉弁
７２０…下水管圧力センサ
７２２…第２三方弁
８００…本発明の第８実施形態による大便器ユニット
８０２…第８開閉弁
８０４…第７開閉弁
８０５…溜水タンク
８０６…第３開閉弁
８０８…第４開閉弁
８０８ａ…オーバーフロー管
８１０…コンプレッサー
８１２…第９開閉弁
９００…本発明の第９実施形態による大便器ユニット
９０２…第１三方弁
９０２ａ…出入口
９０２ｂ…出入口
９０２ｃ…出入口
９０４…電磁弁
９０４ａ…流入口
９０４ｂ…流出口
９０６…給水トラップ
９０８…シリコンオイルタンク
９１０…第１０開閉弁
【図１】
2006257870.tif 000004
【図２】
2006257870.tif 000005
【図３】
2006257870.tif 000006
【図４】
2006257870.tif 000007
【図５】
2006257870.tif 000008
【図６】
2006257870.tif 000009
【図７】
2006257870.tif 000010
【図８】
2006257870.tif 000011
【図９】
2006257870.tif 000012
【図１０】
2006257870.tif 000013
【図１１】
2006257870.tif 000014
【図１２】
2006257870.tif 000015
【図１３】
2006257870.tif 000016
【図１４】
2006257870.tif 000017
【図１５】
2006257870.tif 000018
【図１６】
2006257870.tif 000019
【図１７】
2006257870.tif 000020
【図１８】
2006257870.tif 000021
【図１９】
2006257870.tif 000022
【図２０】
2006257870.tif 000023
【図２１】
2006257870.tif 000024
【図２２】
2006257870.tif 000025
【図２３】
2006257870.tif 000026
【図２４】
2006257870.tif 000027
【図２５】
2006257870.tif 000028
【図２６】
2006257870.tif 000029
【図２７】
2006257870.tif 000030
【図２８】
2006257870.tif 000031
【図２９】
2006257870.tif 000032
【図３０】
2006257870.tif 000033
【図３１】
2006257870.tif 000034
【図３２】
2006257870.tif 000035
【図３３】
2006257870.tif 000036
【図３４】
2006257870.tif 000037
【図３５】
2006257870.tif 000038
【図３６】
2006257870.tif 000039
【図３７】
2006257870.tif 000040
【図３８】
2006257870.tif 000041
【図３９】
2006257870.tif 000042
【図４０】
2006257870.tif 000043
【図４１】
2006257870.tif 000044
【図４２】
2006257870.tif 000045
【図４３】
2006257870.tif 000046
【図４４】
2006257870.tif 000047
【図４５】
2006257870.tif 000048
【図４６】
2006257870.tif 000049
【図４７】
2006257870.tif 000050
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
使用者の尿を受けるボールと、
このボールに連通し且つ上記ボール内の溜水を下水管に排出し、この下水管を水封するトラップ部と、
使用者が排尿を開始する前の、上記トラップ部の溢流水位よりも低く、封水水位よりも高い所定の水位と、使用者が排尿を終えた後の上記ボール内の水位の変化を測定する水位測定手段と、
この水位測定手段によって測定された水位変化測定値から、使用者が上記ボールに排泄した尿量を算出する尿量算出手段と、
上記ボール内の溜水を排出し、上記ボール内の溜水の水位を上記所定の水位まで低下させる溜水排出手段と、
を有し、
便器洗浄終了後、上記溜水排出手段を作動させて、上記ボール内の溜水の水位を上記所定の水位にして待機することを特徴とする大便器ユニット。
【請求項２】
さらに、上記水位測定手段によって測定される水位の単位時間当りの変化に基づいて尿流率を算出する尿流率算出手段を有する請求項１記載の大便器ユニット。
【請求項３】
さらに、上記水位測定手段によって測定される水位の単位時間当りの変化に基づいて排尿時間を算出する排尿時間算出手段を有する請求項１又は２に記載の大便器ユニット。
【請求項４】
さらに、上記水位測定手段によって測定される経時的な水位変化波形に基づいて使用者による大便の排泄を検知する大便排泄検知手段を有する請求項１乃至３の何れか１項に記載の大便器ユニット。
【請求項５】
上記尿量算出手段は、上記大便排泄検知手段が大便の排泄を検知した場合、大便排泄による溜水水位の変化量を推定し、この推定した変化量に基づいて算出した尿量を補正する請求項４記載の大便器ユニット。
【請求項６】
さらに、使用者が排泄した尿の一部を採取する尿検体採取装置を有し、上記尿量算出手段は、上記ボール内に排泄された尿の量と上記尿検体採取装置に採取された尿の量を加算することによって、排泄された尿量を算出する請求項１乃至５の何れか１項に記載の大便器ユニット。
【請求項７】
上記水位測定手段が、上記ボール内の溜水の水圧を測定する圧力センサである請求項１乃至６の何れか１項に記載の大便器ユニット。
【手続補正２】
【補正対象書類名】明細書
【補正対象項目名】００１４
【補正方法】変更
【補正の内容】
【００１４】
上述した課題を解決するために、本発明の大便器ユニットは、使用者の尿を受けるボールと、このボールに連通し且つボール内の溜水を下水管に排出し、この下水管を水封するトラップ部と、使用者が排尿を開始する前の、トラップ部の溢流水位よりも低く、封水水位よりも高い所定の水位と、使用者が排尿を終えた後のボール内の水位の変化を測定する水位測定手段と、この水位測定手段によって測定された水位変化測定値から、使用者がボールに排泄した尿量を算出する尿量算出手段と、ボール内の溜水を排出し、ボール内の溜水の水位を所定の水位まで低下させる溜水排出手段と、を有し、便器洗浄終了後、溜水排出手段を作動させて、ボール内の溜水の水位を所定の水位にして待機することを特徴としている。
【手続補正３】
【補正対象書類名】明細書
【補正対象項目名】００１５
【補正方法】変更
【補正の内容】
【００１５】
このように構成された本発明においては、使用者は、溜水水位が所定の水位に低下したボールに排尿を行う。このとき、ボール内の溜水水位は、予め溢流水位よりも低下されているので、使用者の排尿によって、溜水又は尿がトラップ部を通って流出することがない。水位測定手段は、排尿前の水位と、使用者が排尿した後の水位を測定する。尿量算出手段は、使用者の排尿前後のボール内の水位に基づいて、使用者の尿量を測定する。溜水排出手段は、便器洗浄終了後、ボール内の溜水を排出し、ボール内の溜水の水位を所定の水位まで低下させ、待機する。
【手続補正４】
【補正対象書類名】明細書
【補正対象項目名】００１７
【補正方法】変更
【補正の内容】
【００１７】
また、本発明においては、ボールの洗浄が終了した後、溜水排出手段が溜水を排出するので、溜水排出手段によって排出される溜水には尿が混入しておらず、尿が接触することによる故障が発生しにくく、大便器ユニットの信頼性を高めることができる。